(57)【要約】  流体マニホールドは、本体部を含むことが可能であり、本体部は、近位端部と、遠位端部と、プライマリー・マニホールド・コンポーネントとを含むことが可能であり、プライマリー・マニホールド・コンポーネントは、本体部の近位端部から本体部の遠位端部へ延在しており、プライマリー・チャネルを囲んでいる。流体マニホールドは、少なくとも１つの補助マニホールド・コンポーネントをさらに含むことが可能であり、少なくとも１つの補助マニホールド・コンポーネントは、プライマリー・マニホールド・コンポーネントから分岐しており、プライマリー・チャネル出口ポートにおいてプライマリー・チャネルに接続された補助チャネルを囲んでいる。流体マニホールドは、少なくとも１つの圧縮弁領域をさらに含むことが可能であり、少なくとも１つの圧縮弁領域は、マニホールドの本体部に沿って配設されており、ここで、圧縮弁領域は、開位置と閉位置との間で動作可能であり得る。
2020537097.tif 000002
【特許請求の範囲】
【請求項１】
本体部を含む流体マニホールドであって、前記本体部は、
近位端部と、
遠位端部と、
プライマリー・マニホールド・コンポーネントであって、前記プライマリー・マニホールド・コンポーネントは、前記本体部の前記近位端部から前記本体部の前記遠位端部へ延在しており、プライマリー・チャネルを囲んでいる、プライマリー・マニホールド・コンポーネントと、
少なくとも１つの補助マニホールド・コンポーネントであって、前記少なくとも１つの補助マニホールド・コンポーネントは、前記プライマリー・マニホールド・コンポーネントから分岐しており、プライマリー・チャネル出口ポートにおいて前記プライマリー・チャネルに接続された補助チャネルを囲んでいる、少なくとも１つの補助マニホールド・コンポーネントと、
前記本体部に沿って配設されている少なくとも１つの圧縮弁領域であって、前記少なくとも１つの圧縮弁領域は、開位置と閉位置との間で動作可能であり、前記閉位置になっているときには、流体フローが前記プライマリー・チャネルを通って流れること、および、流体フローが前記プライマリー・チャネルから外へ前記補助チャネルの中へ流れることのうちの少なくとも１つを制限されるようになっている、少なくとも１つの圧縮弁領域と
を含む、流体マニホールド。
【請求項２】
流体マニホールド・アッセンブリであって、前記流体マニホールド・アッセンブリは、
本体部を含む流体マニホールドと、
クランピング・コンポーネントと
を含み、
前記本体部は、
近位端部と、
遠位端部と、
プライマリー・マニホールド・コンポーネントであって、前記プライマリー・マニホールド・コンポーネントは、前記本体部の前記近位端部から前記本体部の前記遠位端部へ延在しており、プライマリー・チャネルを囲んでいる、プライマリー・マニホールド・コンポーネントと、
少なくとも１つの補助マニホールド・コンポーネントであって、前記少なくとも１つの補助マニホールド・コンポーネントは、前記プライマリー・マニホールド・コンポーネントから分岐しており、プライマリー・チャネル出口ポートにおいて前記プライマリー・チャネルに接続された補助チャネルを囲んでいる、少なくとも１つの補助マニホールド・コンポーネントと、
前記本体部に沿って配設されている少なくとも１つの圧縮弁領域であって、前記少なくとも１つの圧縮弁領域は、開位置と閉位置との間で動作可能であり、前記閉位置になっているときには、流体フローが前記プライマリー・チャネルを通って流れること、および、流体フローが前記プライマリー・チャネルから外へ前記補助チャネルの中へ流れることのうちの少なくとも１つを制限されるようになっている、少なくとも１つの圧縮弁領域と
を含み、
前記クランピング・コンポーネントは、前記流体マニホールドの前記少なくとも１つの圧縮弁領域のそれぞれに配設されている、流体マニホールド・アッセンブリ。
【請求項３】
前記圧縮弁領域は、プライマリー圧縮マニホールド弁であり、前記プライマリー圧縮マニホールド弁は、前記プライマリー・マニホールド・コンポーネントに沿って配設されており、前記閉位置になっているときに、流体フローが前記プライマリー・チャネルを通って流れないように制限されるようになっている、請求項１に記載の流体マニホールド。
【請求項４】
前記圧縮弁領域は、前記プライマリー・チャネル出口ポートと前記本体部の前記遠位端部との間に前記プライマリー・マニホールドに沿って配設されている、請求項１および３のいずれか一項に記載の流体マニホールド。
【請求項５】
前記圧縮弁領域は、前記プライマリー・マニホールドに沿って配設されており、前記閉位置になっているときに、前記補助チャネルが前記プライマリー・チャネルと概して同じ境界内にあるようになっている、請求項１、３、および４のいずれか一項に記載の流体マニホールド。
【請求項６】
前記プライマリー・チャネルは、平均直径ＤＰＣを有しており、また、前記本体部の前記近位端部と前記本体部の前記遠位端部との間でその長さに沿って第１の軸線を有しており、前記補助チャネルは、平均直径ＤＡＣを有しており、また、その長さに沿って第２の軸線を有しており、前記圧縮弁領域は、前記プライマリー・マニホールドに沿って配設されており、前記閉位置になっているときに、前記プライマリー・チャネルおよび前記補助チャネルが交差し、エルボ・ベンドを形成するようになっており、前記エルボ・ベンドは、所定の球体によって画定される体積の中に含有されており、前記球体は、ＤＰＣおよびＤＡＣのうちの大きい方に等しい直径を有しており、前記球体は、前記第１の軸線および前記第２の軸線の交差部において中心を合わせられている、請求項１、３、４、および５のいずれか一項に記載の流体マニホールド。
【請求項７】
前記エルボ・ベンドは、直角を有しており、前記エルボ・ベンドは、鋭角を有しており、前記エルボ・ベンドは、鈍角を有している、請求項６に記載の流体マニホールド。
【請求項８】
前記圧縮弁領域は、プライマリー・チャネル出口ポート弁であり、前記プライマリー・チャネル出口ポート弁は、前記流体マニホールドの前記本体部に沿って配設されており、前記プライマリー・チャネル出口ポート弁が前記閉位置になっているときに、流体フローが前記プライマリー・チャネルから外へ前記補助チャネルの中へ流れないように制限されるようになっている、請求項１に記載の流体マニホールド。
【請求項９】
前記圧縮弁領域は、前記プライマリー・チャネル出口ポートにおいて前記流体マニホールドの前記本体部に沿って配設されている、請求項１および８のいずれか一項に記載の流体マニホールド。
【請求項１０】
前記圧縮弁領域は、前記流体マニホールドの前記本体部に沿って配設されており、前記圧縮弁領域が前記閉位置になっているときに、前記プライマリー・チャネルから外へ前記補助チャネルの中への流体フローを制限する前記弁領域の圧縮された部分が、前記プライマリー・マニホールド・コンポーネントの内部壁部と概して同一平面上になるようになっている、請求項１、８、および９のいずれか一項に記載の流体マニホールド。
【請求項１１】
前記流体マニホールドは、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、またはポリ［フッ化ビニリデン］（ＰＶＤＦ）を含む、請求項１または３〜１０のいずれか一項に記載の流体マニホールド。
【請求項１２】
前記遠位サポートは、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、またはポリ［フッ化ビニリデン］（ＰＶＤＦ）を含む、請求項１または３〜１１のいずれか一項に記載の流体マニホールド。
【請求項１３】
前記流体マニホールドは、補強シェルによって覆われている、請求項１または３〜１２のいずれか一項に記載の流体マニホールド。
【請求項１４】
前記アッセンブリは、前記流体マニホールドの前記プライマリー・チャネルにオーバーモールドされたプライマリー・チューブをさらに含む、請求項２に記載の流体マニホールド・アッセンブリ。
【請求項１５】
前記アッセンブリは、前記少なくとも１つの補助チャネルのそれぞれにオーバーモールドされた補助チューブをさらに含む、請求項２に記載の流体マニホールド・アッセンブリ。
【発明の詳細な説明】
【技術分野】
【０００１】
本開示は、流体マニホールドに関し、より具体的には、圧縮弁領域が流体マニホールドの本体部に沿って位置付けされた状態のポリマー・ベースの流体マニホールドに関する。
【背景技術】
【０００２】
流体マニホールドは、さまざまな用途において使用されている。バイオ医薬品製造産業は、製造プロセスの中で使用される媒体を輸送するために、流体マニホールドを利用してきた。そのようなマニホールドは、製造の中で使用される反応物、反応生成物、溶媒、希釈剤、緩衝液、または他の液体を含有することが可能である。しかし、この産業において使用される多くの流体マニホールド設計は、媒体を効率的に輸送することができないことに起因して、性能の低減を経験する。とりわけ、産業において使用される多くのマニホールドは、メイン・マニホールド本体部からの出口ポートの近くもしくはそれに隣接する、または、弁の近くもしくはそれに隣接するさまざまな領域の中の流体フローの低減を経験し、弁は、たとえば、マニホールドに接続された補助チュービングの一部として、または、それに作用するものとして、マニホールドから下流に組み込まれている。これは、流体マニホールドを通過する流体の一部分が停滞した状態になること、「デッド・ゾーン」と称されるマニホールドの構造的条件を結果として生じさせる可能性がある。マニホールドの中の、または、出口ポートの近くのマニホールドに接続されたチュービングの中の停滞した流体は、マニホールドを通って流れる輸送媒体、反応物、反応生成物、溶媒、希釈剤、緩衝液、または他の液体のその後の汚染を結果として生じさせる可能性がある。したがって、そのような用途において改善された性能を有する流体マニホールドに対する必要性が依然として存在している。
【発明の概要】
【課題を解決するための手段】
【０００３】
１つの態様によれば、流体マニホールドは、本体部を含むことが可能であり、本体部は、近位端部と、遠位端部と、プライマリー・マニホールド・コンポーネントとを含むことが可能であり、プライマリー・マニホールド・コンポーネントは、本体部の近位端部から本体部の遠位端部へ延在しており、プライマリー・チャネルを囲んでいる。流体マニホールドは、少なくとも１つの補助マニホールド・コンポーネントをさらに含むことが可能であり、少なくとも１つの補助マニホールド・コンポーネントは、プライマリー・マニホールド・コンポーネントから分岐しており、プライマリー・チャネル出口ポートにおいてプライマリー・チャネルに接続された補助チャネルを囲んでいる。流体マニホールドは、マニホールドの本体部に沿って配設されている少なくとも１つの圧縮弁領域をさらに含むことが可能である。少なくとも１つの圧縮弁領域は、開位置と閉位置との間で動作可能であり得り、閉位置になっているときには、マニホールドを通る流体フローが、プライマリー・チャネルを通って流れること、および、プライマリー・チャネルから外へ補助チャネルの中へ流れることのうちの少なくとも１つを制限され得るようになっている。
【０００４】
さらなる別の態様によれば、流体マニホールド・アッセンブリは、流体マニホールドを含むことが可能である。流体マニホールドは、本体部を含むことが可能であり、本体部は、近位端部と、遠位端部と、プライマリー・マニホールド・コンポーネントとを含むことが可能であり、プライマリー・マニホールド・コンポーネントは、本体部の近位端部から本体部の遠位端部へ延在しており、プライマリー・チャネルを囲んでいる。流体マニホールドは、少なくとも１つの補助マニホールド・コンポーネントをさらに含むことが可能であり、少なくとも１つの補助マニホールド・コンポーネントは、プライマリー・マニホールド・コンポーネントから分岐しており、プライマリー・チャネル出口ポートにおいてプライマリー・チャネルに接続された補助チャネルを囲んでいる。流体マニホールドは、マニホールドの本体部に沿って配設されている少なくとも１つの圧縮弁領域をさらに含むことが可能である。少なくとも１つの圧縮弁領域は、開位置と閉位置との間で動作可能であり得り、閉位置になっているときには、マニホールドを通る流体フローが、プライマリー・チャネルを通って流れること、および、プライマリー・チャネルから外へ補助チャネルの中へ流れることのうちの少なくとも１つを制限され得るようになっている。流体マニホールド・アッセンブリは、流体マニホールドの少なくとも１つの圧縮弁領域に配設されているクランピング・コンポーネントをさらに含むことが可能である。
【図面の簡単な説明】
【０００５】
実施形態は、例として図示されており、添付の図の中で限定されていない。
【０００６】
【図１ａ】本明細書で説明されている特定の実施形態による流体マニホールドの斜視図の図示を含む図である。
【図１ｂ】本明細書で説明されている特定の実施形態による図１ａの流体マニホールドの断面の斜視図の図示を含む図である。
【図１ｃ】本明細書で説明されている特定の実施形態による図１ａの流体マニホールドの断面の斜視図の領域の図示を含む図である。
【図２】本明細書で説明されている特定の実施形態による流体マニホールドの斜視図の図示を含む図である。
【図３】本明細書で説明されている特定の実施形態による流体マニホールドの斜視図の図示を含む図である。
【図４】本明細書で説明されている特定の実施形態による流体マニホールド・アッセンブリの斜視図の図示を含む図である。
【図５ａ】本明細書で説明されている特定の実施形態による流体マニホールド・アッセンブリのための例示的なクランピング装置の斜視図の図示を含む図である。
【図５ｂ】本明細書で説明されている特定の実施形態による流体マニホールド・アッセンブリのための例示的なクランピング装置の斜視図の図示を含む図である。
【図５ｃ】本明細書で説明されている特定の実施形態による流体マニホールド・アッセンブリのための例示的なクランピング装置の斜視図の図示を含む図である。
【図５ｄ】本明細書で説明されている特定の実施形態による流体マニホールド・アッセンブリのための例示的なクランピング装置の斜視図の図示を含む図である。
【図５ｅ】本明細書で説明されている特定の実施形態による流体マニホールド・アッセンブリのための例示的なクランピング装置の斜視図の図示を含む図である。
【図５ｆ】本明細書で説明されている特定の実施形態による流体マニホールド・アッセンブリのための例示的なクランピング装置の斜視図の図示を含む図である。
【図５ｇ】本明細書で説明されている特定の実施形態による流体マニホールド・アッセンブリのための例示的なクランピング装置の斜視図の図示を含む図である。
【図５ｈ】本明細書で説明されている特定の実施形態による流体マニホールド・アッセンブリのための例示的なクランピング装置の斜視図の図示を含む図である。
【図６】本明細書で説明されている特定の実施形態による流体マニホールドの斜視図の図示を含む図である。
【図７】本明細書で説明されている特定の実施形態による流体マニホールド・アッセンブリのさまざまな例の斜視図の図示を含む図である。
【図８】本明細書で説明されている特定の実施形態による流体マニホールド・アッセンブリのさまざまな例の斜視図の図示を含む図である。
【図９】本明細書で説明されている特定の実施形態による流体マニホールド・アッセンブリのさまざまな例の斜視図の図示を含む図である。
【図１０】本明細書で説明されている特定の実施形態による流体マニホールド・アッセンブリのさまざまな例の斜視図の図示を含む図である。
【発明を実施するための形態】
【０００７】
図の中のエレメントは、簡単かつ明確にするために図示されており、必ずしも正しい縮尺で描かれているわけではないということを当業者は認識する。たとえば、図の中のエレメントのうちのいくつかの寸法は、本発明の実施形態の理解を改善することを助けるために、他のエレメントに対して誇張されている可能性がある。さらに、異なる図面の中の同じ参照符号の使用は、同様のまたは同一のアイテムを示している。
【０００８】
図と組み合わせた以下の説明は、本明細書で開示されている教示を理解することを支援するために提供される。以下の議論は、本教示の特定の実装形態および実施形態に焦点を合わせることとなる。この焦点は、本教示を説明することを支援するために提供されており、本教示の範囲または適用可能性に対する限定として解釈されるべきではない。しかし、他の実施形態が、本出願の中に開示されているような本教示に基づいて使用され得る。
【０００９】
「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」という用語、または、それらの任意の他の変化形は、非排他的な包含をカバーすることが意図されている。たとえば、特徴の列挙を含む方法、物品、または装置は、必ずしもそれらの特徴のみに限定されるわけではなく、明示的に列挙されていない他の特徴、または、そのような方法、物品、もしくは装置に固有の他の特徴を含むことが可能である。さらに、逆のことが明示的に述べられていない限り、「または」は、包含的な「または」を表しており、排他的な「または」を表していない。たとえば、条件ＡまたはＢは、以下のいずれか１つによって満たされる：Ａは真であり（または、存在している）、かつ、Ｂは偽である（または、存在していない）；Ａは偽であり（または、存在していない）、かつ、Ｂは真である（または、存在している）；ならびに、ＡおよびＢの両方が真である（または、存在している）。
【００１０】
また、「ａ」または「ａｎ」の使用は、本明細書で説明されているエレメントおよびコンポーネントを説明するために用いられている。これは、単に便宜上行われているに過ぎず、本発明の範囲の一般的な意味を与えるために行われている。この記載は、「１つの」または「少なくとも１つの」を含むように読まれるべきであり、それがそうでないことを意味していることが明確でない限り、単数形は、複数形も含み、または、その逆も同様である。たとえば、単一のアイテムが本明細書で説明されているとき、２つ以上のアイテムが、単一のアイテムの代わりに使用され得る。同様に、２つ以上のアイテムが本明細書で説明されている場合、単一のアイテムが、その２つ以上のアイテムに置換され得る。
【００１１】
別段の定義がない限り、本明細書で使用されているすべての技術的なおよび科学的な用語は、本発明が属する当業者によって一般に理解されるものと同じ意味を有している。材料、方法、および例は、単に例示目的のものに過ぎず、限定するものであることは意図されていない。本明細書で説明されていない範囲において、特定の材料および加工行為に関する多くの詳細は、従来のものであり、ソーラー制御技術の中のテキストブックおよび他のソースの中に見出され得る。
【００１２】
本明細書で説明されている実施形態は、概して、本体部を有する流体マニホールドであって、本体部は、プライマリー・マニホールド・コンポーネントと、プライマリー・マニホールド・コンポーネントから分岐する少なくとも１つの補助マニホールド・コンポーネントと、流体マニホールドの本体部に沿って配設されている少なくとも１つの圧縮弁領域とを含むことが可能であり、少なくとも１つの圧縮弁領域は、開位置と閉位置との間で動作可能であり、閉位置になっているときには、流体フローが、プライマリー・チャネルを通って流れること、または、プライマリー・チャネルから外へ補助チャネルの中へ流れることのいずれかを制限されるようになっている、流体マニホールドに関する。
【００１３】
これらの概念は、下記に説明されている実施形態を考慮してより良好に理解され、それらは、本開示の範囲を図示しており、それを限定してはいない。
【００１４】
図１ａは、本明細書で説明されている特定の実施形態による流体マニホールド１００の斜視図の図示を含む。特定の実施形態によれば、および、図１ａに示されているように、流体マニホールド１００は、本体部１１０を有することが可能であり、本体部１１０は、近位端部１１２と、遠位端部１１４と、近位端部１１２から遠位端部１１４へ延在するプライマリー・マニホールド・コンポーネント１２０とを含むことが可能である。プライマリー・マニホールド・コンポーネント１２０は、プライマリー・チャネル１２２を囲むことが可能である。本体部１１０は、プライマリー・マニホールド・コンポーネント１２０から分岐する少なくとも１つの補助マニホールド・コンポーネント１３０をさらに含むことが可能である。補助マニホールド・コンポーネント１３０は、プライマリー・チャネル１２２に接続された補助チャネル１３２を囲むことが可能である。本体部１１０は、プライマリー・マニホールド・コンポーネント１２０と補助マニホールド・コンポーネント１３０との間に配設されている少なくとも１つの圧縮弁領域１４０をさらに含むことが可能である。特定の実施形態によれば、圧縮弁領域１４０は、開位置と閉位置との間で動作可能であり得る。
【００１５】
図１ｂは、流体マニホールド１００の内部キャビティーを示す、図１ａの流体マニホールド１００の斜視図断面を含む。図１ｃは、圧縮弁領域１４０を示す、図１ａの流体マニホールド１００の一部分の斜視図断面を含む。ある実施形態によれば、および、図１ｂおよび図１ｃに示されているように、補助チャネル１３２は、プライマリー・チャネル出口ポート１２５においてプライマリー・チャネル１２２に接続され得り、プライマリー・チャネル出口ポート１２５は、プライマリー・チャネル１２５から外へ、少なくとも１つの圧縮弁領域１４０を通して、補助チャネル１３２の中へつながっている。
【００１６】
本明細書で説明されている特定の実施形態によれば、本体部１１０は、プライマリー・マニホールド・コンポーネント１２０から分岐する任意の望ましい数の補助マニホールド・コンポーネント１３０を含むことが可能である。特定の実施形態によれば、本体部１１０は、プライマリー・マニホールド・コンポーネント１２０から分岐する特定の数の補助マニホールド・コンポーネント１３０を含むことが可能である。たとえば、本体部１１０は、プライマリー・マニホールド・コンポーネント１２０から分岐する少なくとも約２個の補助マニホールド・コンポーネント１３０、たとえば、プライマリー・マニホールド・コンポーネント１２０から分岐する少なくとも約３個の補助マニホールド・コンポーネント１３０、または、プライマリー・マニホールド・コンポーネント１２０から分岐する少なくとも約４個の補助マニホールド・コンポーネント１３０、または、プライマリー・マニホールド・コンポーネント１２０から分岐する少なくとも約５個の補助マニホールド・コンポーネント１３０、または、プライマリー・マニホールド・コンポーネント１２０から分岐する少なくとも約６個の補助マニホールド・コンポーネント１３０、または、プライマリー・マニホールド・コンポーネント１２０から分岐する少なくとも約７個の補助マニホールド・コンポーネント１３０、または、プライマリー・マニホールド・コンポーネント１２０から分岐する少なくとも約８個の補助マニホールド・コンポーネント１３０、または、プライマリー・マニホールド・コンポーネント１２０から分岐する少なくとも約９個の補助マニホールド・コンポーネント１３０、または、さらには、プライマリー・マニホールド・コンポーネント１２０から分岐する少なくとも約１０個の補助マニホールド・コンポーネント１３０などを含むことが可能である。
【００１７】
さらに他の実施形態によれば、本体部１１０は、プライマリー・マニホールド・コンポーネント１２０と補助マニホールド・コンポーネント１３０との間に配設されている任意の望ましい数の圧縮弁領域を含むことが可能である。さらなる他の実施形態によれば、本体部１１０は、プライマリー・マニホールド・コンポーネント１２０と補助マニホールド・コンポーネント１３０との間に配設されている特定の数の圧縮弁領域１４０を含むことが可能である。たとえば、本体部１１０は、プライマリー・マニホールド・コンポーネント１２０と補助マニホールド・コンポーネント１３０との間に配設されている少なくとも約２個の圧縮弁領域１４０、たとえば、プライマリー・マニホールド・コンポーネント１２０と補助マニホールド・コンポーネント１３０との間に配設されている少なくとも約３個の圧縮弁領域１４０、または、プライマリー・マニホールド・コンポーネント１２０と補助マニホールド・コンポーネント１３０との間に配設されている少なくとも約４個の圧縮弁領域１４０、または、プライマリー・マニホールド・コンポーネント１２０と補助マニホールド・コンポーネント１３０との間に配設されている少なくとも約５個の圧縮弁領域１４０、または、プライマリー・マニホールド・コンポーネント１２０と補助マニホールド・コンポーネント１３０との間に配設されている少なくとも約６個の圧縮弁領域１４０、または、プライマリー・マニホールド・コンポーネント１２０と補助マニホールド・コンポーネント１３０との間に配設されている少なくとも約７個の圧縮弁領域１４０、または、プライマリー・マニホールド・コンポーネント１２０と補助マニホールド・コンポーネント１３０との間に配設されている少なくとも約８個の圧縮弁領域１４０、または、プライマリー・マニホールド・コンポーネント１２０と補助マニホールド・コンポーネント１３０との間に配設されている少なくとも約９個の圧縮弁領域１４０、または、さらには、プライマリー・マニホールド・コンポーネント１２０と補助マニホールド・コンポーネント１３０との間に配設されている少なくとも約個の圧縮弁領域１４０などを含むことが可能である。さらに他の実施形態によれば、本体部１１０は、プライマリー・マニホールド・コンポーネント１２０とそれぞれの補助マニホールド・コンポーネント１３０との間に配設されている圧縮弁領域１４０を有することが可能である。
【００１８】
他の実施形態によれば、ならびに、図１ａ、図１ｂ、および図１ｃに示されているように、圧縮弁領域は、プライマリー・チャネル出口ポート弁であることが可能である。さらに他の実施形態によれば、ならびに、図１ａ、図１ｂ、および図１ｃに示されているように、プライマリー・チャネル出口ポート弁は、プライマリー・マニホールド・コンポーネント１２０と補助マニホールド・コンポーネント１３０との間で、本体部１１０に沿って配設され得る。さらに他の実施形態によれば、ならびに、図１ａ、図１ｂ、および図１ｃに示されているように、プライマリー・チャネル出口ポート弁は、プライマリー・チャネル出口ポート１２５において本体部１１０に沿って配設され得る。さらなる他の実施形態によれば、ならびに、図１ａ、図１ｂ、および図１ｃに示されているように、プライマリー・チャネル出口ポート弁は、本体部１１０に沿って配設され得り、圧縮弁領域１４０が閉位置になっているときに、本体部１１０を通る流体フローがプライマリー・チャネル１２２から外へ補助チャネル１３２の中へ流れないように制限されるようになっている。さらに他の実施形態によれば、ならびに、図１ａ、図１ｂ、および図１ｃに示されているように、プライマリー・チャネル出口ポート弁は、本体部１１０に沿って配設されており、圧縮弁領域１４０が閉位置になっているときに、本体部１１０を通る流体フローがプライマリー・チャネル出口ポート１２５を通って流れないように制限されるようになっている。
【００１９】
さらなる他の実施形態によれば、プライマリー・チャネル出口ポート弁は、本体部１１０に沿って配設され得り、圧縮弁領域１４０が閉位置になっているときに、圧縮弁領域１４０の圧縮された部分が、プライマリー・チャネル１２２から補助チャネル１３２の中への流体フローを制限するようになっている。さらに他の実施形態によれば、ならびに、図１ａ、図１ｂ、および図１ｃに示されているように、プライマリー・チャネル出口ポート弁は、本体部１１０に沿って配設され得り、圧縮弁領域１４０が閉位置になっているときに、流体フローを制限する圧縮弁領域１４０の圧縮された部分が、プライマリー・マニホールド・コンポーネント１３０の内部壁部と概して同一平面上にあるようになっている。
【００２０】
さらに他の実施形態によれば、プライマリー・チャネル出口ポート弁は、本体部１１０に沿って配設され得り、圧縮弁領域１４０が閉位置になっているときに、圧縮弁領域１４０の長さに広がるプライマリー・チャネルの領域が、特定の長手方向デッド・スペース・ファクター（ＬＤＳＦ：Ｌｏｎｇｉｔｕｄｉｎａｌ  Ｄｅａｄ  Ｓｐａｃｅ  Ｆａｃｔｏｒ）を有するようになっている。本明細書で説明されている実施形態を参照して使用されているように、長手方向デッド・スペース・ファクター（ＬＤＳＦ）は、等式ＬＤＳＦ＝｜ＡＣＰＰＣ−ＡＣＰＣＲ｜／ＡＣＰＰＣよって定義され、ここで、ＡＣＰＰＣは、本体部の近位端部と本体部の遠位端部との間のプライマリー・チャネルの平均断面外周（ａｖｅｒａｇｅ  ｃｒｏｓｓ−ｓｅｃｔｉｏｎａｌ  ｐｅｒｉｍｅｔｅｒ）に等しく、ＡＣＰＣＲは、圧縮弁領域の長さに広がるプライマリー・チャネルの平均断面外周に等しい。特定の実施形態によれば、圧縮弁領域１４０の長手方向デッド・スペース・ファクター（ＬＤＳＦ）は、約０．５以下、たとえば、約０．４５以下、または約０．４以下、または約０．３５以下、または約０．３以下、または約０．２５以下、または約０．２以下、または約０．１５以下、または約０．１以下、または、さらには、約０．０１以下などであることが可能である。圧縮弁領域１４０の長手方向デッド・スペース・ファクター（ＬＤＳＦ）は、上記に述べられている値のいずれかの間の範囲の中にあることが可能であるということが認識されることとなる。圧縮弁領域１４０の長手方向デッド・スペース・ファクター（ＬＤＳＦ）は、上記に述べられている値のいずれかの間の任意の値であることが可能であるということがさらに認識されることとなる。
【００２１】
さらなる他の実施形態によれば、プライマリー・チャネル出口ポート弁は、本体部１１０に沿って配設され得り、圧縮弁領域１４０が閉位置になっているときに、本体部１１０がデッド・スペースを実質的に有していないようになっている。さらなる他の実施形態によれば、プライマリー・チャネル出口ポート弁は、本体部１１０に沿って配設され得り、圧縮弁領域１４０が閉位置になっているときに、本体部１１０がデッド・スペースを有していないようになっている。さらなる他の実施形態によれば、プライマリー・チャネル出口ポート弁は、本体部１１０に沿って配設され得り、圧縮弁領域１４０が閉位置になっているときに、本体部１１０が停滞した流体フローを実質的に有していないようになっている。さらなる他の実施形態によれば、プライマリー・チャネル出口ポート弁は、本体部１１０に沿って配設され得り、圧縮弁領域１４０が閉位置になっているときに、本体部１１０が停滞した流体フローを有していないようになっている。
【００２２】
図２は、本明細書で説明されている他の実施形態による流体マニホールド２００の斜視図の図示を含む。ある実施形態によれば、ならびに、図２に示されているように、流体マニホールド２００は、本体部２１０を有することが可能であり、本体部２１０は、近位端部２１２と、遠位端部２１４と、近位端部２１２から遠位端部２１４へ延在するプライマリー・マニホールド・コンポーネント２２０とを含むことが可能である。プライマリー・マニホールド・コンポーネント２２０は、プライマリー・チャネル２２２を囲むことが可能である。本体部２１０は、プライマリー・マニホールド・コンポーネント２２０から分岐する少なくとも１つの補助マニホールド・コンポーネント２３０をさらに含むことが可能である。補助マニホールド・コンポーネント２３０は、プライマリー・チャネル２２２に接続された補助チャネル２３２を囲むことが可能である。本体部２１０は、補助マニホールド・コンポーネント２３０に隣接してプライマリー・マニホールド・コンポーネント２２０に沿って配設されている少なくとも１つの圧縮弁領域２４０をさらに含むことが可能である。特定の実施形態によれば、圧縮弁領域２４０は、開位置と閉位置との間で動作可能であり得る。
【００２３】
特定の実施形態によれば、本体部２１０は、プライマリー・マニホールド・コンポーネント２２０から分岐する任意の望ましい数の補助マニホールド・コンポーネント２３０を含むことが可能である。特定の実施形態によれば、本体部２１０は、プライマリー・マニホールド・コンポーネント２２０から分岐する特定の数の補助マニホールド・コンポーネント２３０を含むことが可能である。たとえば、本体部２１０は、プライマリー・マニホールド・コンポーネント２２０から分岐する少なくとも約２個の補助マニホールド・コンポーネント２３０、たとえば、プライマリー・マニホールド・コンポーネント２２０から分岐する少なくとも約３個の補助マニホールド・コンポーネント２３０、または、プライマリー・マニホールド・コンポーネント２２０から分岐する少なくとも約４個の補助マニホールド・コンポーネント２３０、または、プライマリー・マニホールド・コンポーネント２２０から分岐する少なくとも約５個の補助マニホールド・コンポーネント２３０、または、プライマリー・マニホールド・コンポーネント２２０から分岐する少なくとも約６個の補助マニホールド・コンポーネント２３０、または、プライマリー・マニホールド・コンポーネント２２０から分岐する少なくとも約７個の補助マニホールド・コンポーネント２３０、または、プライマリー・マニホールド・コンポーネント２２０から分岐する少なくとも約８個の補助マニホールド・コンポーネント２３０、または、プライマリー・マニホールド・コンポーネント２２０から分岐する少なくとも約９個の補助マニホールド・コンポーネント２３０、または、さらには、プライマリー・マニホールド・コンポーネント２２０から分岐する少なくとも約１０個の補助マニホールド・コンポーネント２３０などを含むことが可能である。
【００２４】
さらに他の実施形態によれば、本体部２１０は、補助マニホールド・コンポーネント２３０に隣接してプライマリー・マニホールド・コンポーネント２２０に沿って配設されている任意の望ましい数の圧縮弁領域を含むことが可能である。さらなる他の実施形態によれば、本体部２１０は、補助マニホールド・コンポーネント２３０に隣接してプライマリー・マニホールド・コンポーネント２２０に沿って配設されている特定の数の圧縮弁領域２４０を含むことが可能である。たとえば、本体部２１０は、補助マニホールド・コンポーネント２３０に隣接してプライマリー・マニホールド・コンポーネント２２０に沿って配設されている少なくとも約２個の圧縮弁領域、たとえば、補助マニホールド・コンポーネント２３０に隣接してプライマリー・マニホールド・コンポーネント２２０に沿って配設されている少なくとも約３個の圧縮弁領域２４０、または、補助マニホールド・コンポーネント２３０に隣接してプライマリー・マニホールド・コンポーネント２２０に沿って配設されている少なくとも約４個の圧縮弁領域２４０、または、補助マニホールド・コンポーネント２３０に隣接してプライマリー・マニホールド・コンポーネント２２０に沿って配設されている少なくとも約５個の圧縮弁領域２４０、または、補助マニホールド・コンポーネント２３０に隣接してプライマリー・マニホールド・コンポーネント２２０に沿って配設されている少なくとも約６個の圧縮弁領域２４０、または、補助マニホールド・コンポーネント２３０に隣接してプライマリー・マニホールド・コンポーネント２２０に沿って配設されている少なくとも約７個の圧縮弁領域２４０、または、補助マニホールド・コンポーネント２３０に隣接してプライマリー・マニホールド・コンポーネント２２０に沿って配設されている少なくとも約８個の圧縮弁領域２４０、または、補助マニホールド・コンポーネント２３０に隣接してプライマリー・マニホールド・コンポーネント２２０に沿って配設されている少なくとも約９個の圧縮弁領域２４０、または、さらには、補助マニホールド・コンポーネント２３０に隣接してプライマリー・マニホールド・コンポーネント２２０に沿って配設されている少なくとも約個の圧縮弁領域２４０などを含むことが可能である。さらに他の実施形態によれば、本体部２１０は、補助マニホールド・コンポーネント２３０に隣接してプライマリー・マニホールド・コンポーネント２２０に沿って配設されている１個の圧縮弁領域２４０を有することが可能である。
【００２５】
特定の実施形態によれば、および、図２に示されているように、圧縮弁領域２４０は、プライマリー圧縮マニホールド弁を含むことが可能である。さらに他の実施形態によれば、および、図２に示されているように、プライマリー圧縮マニホールド弁は、補助マニホールド・コンポーネント２３０に隣接して、プライマリー・マニホールド・コンポーネント２２０に沿って、本体部２１０に沿って配設され得る。さらに他の実施形態によれば、および、図２に示されているように、プライマリー圧縮マニホールド弁は、プライマリー・チャネル出口ポート２２５に隣接して本体部２１０に沿って配設され得る。さらなる他の実施形態によれば、および、図２に示されているように、プライマリー圧縮マニホールド弁は、本体部２１０に沿って配設され得り、圧縮弁領域２４０が閉位置になっているときに、本体部２１０を通る流体フローが補助チャネル２３２を通過してプライマリー・チャネル２２２の少なくとも一部分を通って流れないように制限されるようになっている。さらに他の実施形態によれば、および、図２に示されているように、プライマリー圧縮マニホールド弁は、本体部２１０に沿って配設されており、圧縮弁領域２４０が閉位置になっているときに、本体部２１０を通る流体フローがプライマリー・チャネル出口ポート２２５を通過して流れないように制限されるようになっている。
【００２６】
さらに他の実施形態によれば、プライマリー・チャネル２２２は、平均直径ＤＰＣを有することが可能であり、また、本体部の近位端部２１２と本体部２１０の遠位端部２１４との間でその長さに沿って第１の軸線を有することが可能である。さらなる他の実施形態によれば、補助チャネル２３２は、平均直径ＤＡＣを有することが可能であり、また、その長さに沿って第２の軸線を有することが可能である。さらなる他の実施形態によれば、圧縮弁領域２４０は、本体部２１０に沿って配設され得り、圧縮弁領域２４０が閉位置になっているときに、プライマリー・チャネル２２２および補助チャネル２３２が交差し、エルボ・ベンドを形成するようになっており、エルボ・ベンドは、所定の球体によって画定される体積の中に含有されており、ここで、この球体は、ＤＰＣおよびＤＡＣのうちの大きい方に等しい直径を有しており、ここで、この球体は、第１の軸線および第２の軸線の交差部において中心を合わせられている。
【００２７】
さらなる他の実施形態によれば、圧縮弁領域２４０は、本体部２１０に沿って配設され得り、圧縮弁領域２４０が閉位置になっているときに、プライマリー・チャネル２２２および補助チャネル２３２が交差し、所定の鈍角を有するエルボ・ベンドを形成するようになっている。さらに他の実施形態によれば、圧縮弁領域２４０は、本体部２１０に沿って配設され得り、圧縮弁領域２４０が閉位置になっているときに、プライマリー・チャネル２２２および補助チャネル２３２が交差し、直角になっているエルボ・ベンドを形成するようになっている。
【００２８】
さらに他の実施形態によれば、圧縮弁領域２４０は、本体部２１０に沿って配設され得り、圧縮弁領域２４０が閉位置になっているときに、プライマリー・チャネル２２２が補助チャネル２３２と同じ境界内にあることができるようになっている。本明細書で説明されている実施形態を参照して使用されているように、プライマリー・チャネル２２２が補助チャネル２３２の遠位縁部２３４を越えて０．５＊ＤＡＣ以下の距離まで延在する場合には、プライマリー・チャネル２２２は、補助チャネル２３２と同じ境界内にあるということが認識されることとなる。さらなる他の実施形態では、プライマリー・チャネル２２２は、補助チャネル２３２の遠位縁部２３４を越えて、０．４＊ＤＡＣ以下、または０．３＊ＤＡＣ以下、または０．２５＊ＤＡＣ以下、または０．２＊ＤＡＣ以下、または０．１５＊ＤＡＣ以下、または０．１＊ＤＡＣ以下、または０．０５＊ＤＡ以下、または０．０１＊ＤＡＣの距離まで延在することが可能である。さらなる実施形態では、プライマリー・チャネル２２２は、遠位フロー・チャネルの遠位縁部２３４において、正確に終端することが可能である。
【００２９】
さらに他の実施形態によれば、圧縮弁領域２４０は、本体部２１０に沿って配設され得り、圧縮弁領域２４０が閉位置になっているときに、本体部２１０がデッド・スペースを実質的に有していないようになっている。さらに他の実施形態によれば、圧縮弁領域２４０は、本体部２１０に沿って配設され得り、圧縮弁領域２４０が閉位置になっているときに、本体部２１０がデッド・スペースを有していないようになっている。さらに他の実施形態によれば、圧縮弁領域２４０は、本体部２１０に沿って配設され得り、圧縮弁領域２４０が閉位置になっているときに、本体部２１０が停滞した流体フローを実質的に有していないようになっている。さらに他の実施形態によれば、圧縮弁領域２４０は、本体部２１０に沿って配設され得り、圧縮弁領域２４０が閉位置になっているときに、本体部２１０が停滞した流体フローを有していないようになっている。
【００３０】
図３は、本明細書で説明されている他の実施形態による流体マニホールド３００の斜視図の図示を含む。ある実施形態によれば、ならびに、図３に示されているように、流体マニホールド３００は、本体部３１０を有することが可能であり、本体部３１０は、近位端部３１２と、遠位端部３１４と、近位端部３１２から遠位端部３１４へ延在するプライマリー・マニホールド・コンポーネント２２０とを含むことが可能である。プライマリー・マニホールド・コンポーネント３２０は、プライマリー・チャネル３２２を囲むことが可能である。本体部３１０は、プライマリー・マニホールド・コンポーネント３２０から分岐する少なくとも１つの補助マニホールド・コンポーネント３３０をさらに含むことが可能である。補助マニホールド・コンポーネント３３０は、プライマリー・チャネル３２２に接続された補助チャネル３３２を囲むことが可能である。本体部３１０は、第１の圧縮弁領域３４１および第２の圧縮弁領域３４３をさらに含むことが可能である。第１の圧縮弁領域３４１は、プライマリー・マニホールド・コンポーネント３２０と補助マニホールド・コンポーネント３３０との間に本体部３１０に沿って配設され得る。第２の圧縮弁領域３４３は、補助マニホールド・コンポーネント３３０に隣接してプライマリー・マニホールド・コンポーネント３２０に沿って配設され得る。特定の実施形態によれば、圧縮弁領域３４１、３４３は、開位置と閉位置との間で動作可能であり得る。
【００３１】
特定の実施形態によれば、本体部３１０は、プライマリー・マニホールド・コンポーネント３２０から分岐する任意の望ましい数の補助マニホールド・コンポーネント３３０を含むことが可能である。特定の実施形態によれば、本体部３１０は、プライマリー・マニホールド・コンポーネント３２０から分岐する特定の数の補助マニホールド・コンポーネント３３０を含むことが可能である。たとえば、本体部３１０は、プライマリー・マニホールド・コンポーネント３２０から分岐する少なくとも約２個の補助マニホールド・コンポーネント３３０、たとえば、プライマリー・マニホールド・コンポーネント３２０から分岐する少なくとも約３個の補助マニホールド・コンポーネント３３０、または、プライマリー・マニホールド・コンポーネント３２０から分岐する少なくとも約４個の補助マニホールド・コンポーネント３３０、または、プライマリー・マニホールド・コンポーネント３２０から分岐する少なくとも約５個の補助マニホールド・コンポーネント３３０、または、プライマリー・マニホールド・コンポーネント３２０から分岐する少なくとも約６個の補助マニホールド・コンポーネント３３０、または、プライマリー・マニホールド・コンポーネント３２０から分岐する少なくとも約７個の補助マニホールド・コンポーネント３３０、または、プライマリー・マニホールド・コンポーネント３２０から分岐する少なくとも約８個の補助マニホールド・コンポーネント３３０、または、プライマリー・マニホールド・コンポーネント３２０から分岐する少なくとも約９個の補助マニホールド・コンポーネント３３０、または、さらには、プライマリー・マニホールド・コンポーネント３２０から分岐する少なくとも約１０個の補助マニホールド・コンポーネント３３０などを含むことが可能である。
【００３２】
さらに他の実施形態によれば、本体部３１０は、プライマリー・マニホールド・コンポーネント３２０と補助マニホールド・コンポーネント３３０との間に配設されている任意の望ましい数の圧縮弁領域を含むことが可能である。さらなる他の実施形態によれば、本体部３１０は、プライマリー・マニホールド・コンポーネント３２０と補助マニホールド・コンポーネント３３０との間に配設されている特定の数の圧縮弁領域３４１を含むことが可能である。たとえば、本体部３１０は、プライマリー・マニホールド・コンポーネント３２０と補助マニホールド・コンポーネント３３０との間に配設されている少なくとも約２個の圧縮弁領域３４１、たとえば、プライマリー・マニホールド・コンポーネント３２０と補助マニホールド・コンポーネント３３０との間に配設されている少なくとも約３個の圧縮弁領域３４１、または、プライマリー・マニホールド・コンポーネント３２０と補助マニホールド・コンポーネント３３０との間に配設されている少なくとも約４個の圧縮弁領域３４１、または、プライマリー・マニホールド・コンポーネント３２０と補助マニホールド・コンポーネント３３０との間に配設されている少なくとも約５個の圧縮弁領域３４１、または、プライマリー・マニホールド・コンポーネント３２０と補助マニホールド・コンポーネント３３０との間に配設されている少なくとも約６個の圧縮弁領域３４１、または、プライマリー・マニホールド・コンポーネント３２０と補助マニホールド・コンポーネント３３０との間に配設されている少なくとも約７個の圧縮弁領域３４１、または、プライマリー・マニホールド・コンポーネント３２０と補助マニホールド・コンポーネント３３０との間に配設されている少なくとも約８個の圧縮弁領域３４１、または、プライマリー・マニホールド・コンポーネント３２０と補助マニホールド・コンポーネント３３０との間に配設されている少なくとも約９個の圧縮弁領域３４１、または、さらには、プライマリー・マニホールド・コンポーネント３２０と補助マニホールド・コンポーネント３３０との間に配設されている少なくとも約１０個の圧縮弁領域３４１などを含むことが可能である。さらに他の実施形態によれば、本体部３１０は、プライマリー・マニホールド・コンポーネント３２０とそれぞれの補助マニホールド・コンポーネント３３０との間に配設されている圧縮弁領域３４１を有することが可能である。
【００３３】
さらに他の実施形態によれば、本体部３１０は、補助マニホールド・コンポーネント３３０に隣接してプライマリー・マニホールド・コンポーネント３２０に沿って配設されている任意の望ましい数の圧縮弁領域を含むことが可能である。さらなる他の実施形態によれば、本体部３１０は、補助マニホールド・コンポーネント３３０に隣接してプライマリー・マニホールド・コンポーネント３２０に沿って配設されている特定の数の圧縮弁領域３４３を含むことが可能である。たとえば、本体部３１０は、補助マニホールド・コンポーネント３３０に隣接してプライマリー・マニホールド・コンポーネント３２０に沿って配設されている少なくとも約２個の圧縮弁領域、たとえば、補助マニホールド・コンポーネント３３０に隣接してプライマリー・マニホールド・コンポーネント３２０に沿って配設されている少なくとも約３個の圧縮弁領域３４３、または、補助マニホールド・コンポーネント３３０に隣接してプライマリー・マニホールド・コンポーネント３２０に沿って配設されている少なくとも約４個の圧縮弁領域３４３、または、補助マニホールド・コンポーネント３３０に隣接してプライマリー・マニホールド・コンポーネント３２０に沿って配設されている少なくとも約５個の圧縮弁領域３４３、または、補助マニホールド・コンポーネント３３０に隣接してプライマリー・マニホールド・コンポーネント３２０に沿って配設されている少なくとも約６個の圧縮弁領域３４３、または、補助マニホールド・コンポーネント３３０に隣接してプライマリー・マニホールド・コンポーネント３２０に沿って配設されている少なくとも約７個の圧縮弁領域３４３、または、補助マニホールド・コンポーネント３３０に隣接してプライマリー・マニホールド・コンポーネント３２０に沿って配設されている少なくとも約８個の圧縮弁領域３４３、または、補助マニホールド・コンポーネント３３０に隣接してプライマリー・マニホールド・コンポーネント３２０に沿って配設されている少なくとも約９個の圧縮弁領域３４３、または、さらには、補助マニホールド・コンポーネント３３０に隣接してプライマリー・マニホールド・コンポーネント３２０に沿って配設されている少なくとも約１０個の圧縮弁領域３４３などを含むことが可能である。さらに他の実施形態によれば、本体部３１０は、補助マニホールド・コンポーネント３３０に隣接してプライマリー・マニホールド・コンポーネント３２０に沿って配設されている１個の圧縮弁領域３４３を有することが可能である。
【００３４】
特定の実施形態によれば、および、図３に示されているように、圧縮弁領域３４１は、プライマリー・チャネル出口ポート弁を含むことが可能である。さらに他の実施形態によれば、および、図３に示されているように、プライマリー・チャネル出口ポート弁は、プライマリー・マニホールド・コンポーネント３２０と補助マニホールド・コンポーネント３３０との間で本体部３１０に沿って配設され得る。さらに他の実施形態によれば、および、図３に示されているように、プライマリー・チャネル出口ポート弁は、プライマリー・チャネル出口ポート３２５において本体部３１０に沿って配設され得る。さらなる他の実施形態によれば、および、図３に示されているように、プライマリー・チャネル出口ポート弁は、本体部３１０に沿って配設され得り、圧縮弁領域３４０が閉位置になっているときに、本体部３１０を通る流体フローがプライマリー・チャネル３２２から外へ補助チャネル３３２の中へ流れないように制限されるようになっている。さらに他の実施形態によれば、および、図３に示されているように、プライマリー・チャネル出口ポート弁は、本体部３１０に沿って配設されており、圧縮弁領域３４０が閉位置になっているときに、本体部３１０を通る流体フローがプライマリー・チャネル出口ポート３２５を通って流れないように制限されるようになっている。
【００３５】
特定の実施形態によれば、および、図３に示されているように、圧縮弁領域３４３は、プライマリー圧縮マニホールド弁を含むことが可能である。さらに他の実施形態によれば、および、図３に示されているように、プライマリー圧縮マニホールド弁は、補助マニホールド・コンポーネント３３０に隣接してプライマリー・マニホールド・コンポーネント３２０に沿って本体部３１０に沿って配設され得る。さらに他の実施形態によれば、および、図３に示されているように、プライマリー圧縮マニホールド弁は、プライマリー・チャネル出口ポート３２５に隣接して本体部３１０に沿って配設され得る。さらなる他の実施形態によれば、および、図３に示されているように、プライマリー圧縮マニホールド弁は、本体部３１０に沿って配設され得り、圧縮弁領域３４０が閉位置になっているときに、本体部３１０を通る流体フローが補助チャネル３３２を通過してプライマリー・チャネル３２２の少なくとも一部分を通って流れないように制限されるようになっている。さらに他の実施形態によれば、および、図３に示されているように、プライマリー圧縮マニホールド弁は、本体部３１０に沿って配設されており、圧縮弁領域３４０が閉位置になっているときに、本体部３１０を通る流体フローがプライマリー・チャネル出口ポート３２５を通過して流れないように制限されるようになっている。
【００３６】
さらに他の実施形態によれば、圧縮弁領域３４１、３４３は、本体部３１０に沿って配設され得り、圧縮弁領域３４１、３４３が閉位置になっているときに、本体部３１０がデッド・スペースを実質的に有していないようになっている。さらに他の実施形態によれば、圧縮弁領域３４１、３４３は、本体部３１０に沿って配設され得り、圧縮弁領域３４１、３４３が閉位置になっているときに、本体部３１０がデッド・スペースを有していないようになっている。さらに他の実施形態によれば、圧縮弁領域３４１、３４３は、本体部３１０に沿って配設され得り、圧縮弁領域３４１、３４３が閉位置になっているときに、本体部３１０が停滞した流体フローを実質的に有していないようになっている。さらに他の実施形態によれば、圧縮弁領域３４１、３４３は、本体部３１０に沿って配設され得り、圧縮弁領域３４１、３４３が閉位置になっているときに、本体部３１０が停滞した流体フローを有していないようになっている。
【００３７】
圧縮弁領域３４１は、図１ａ、図１ｂ、および図１ｃを参照して説明されている圧縮弁領域１４０の特性のいずれかを含むことが可能であり、または、それを有するものとして説明され得るということが認識されることとなる。圧縮弁領域３４３は、図２を参照して説明されている圧縮弁領域２４０の特性のいずれかを含むことが可能であり、または、それを有するものとして説明され得るということがさらに認識されることとなる。
【００３８】
さらに他の実施形態によれば、圧縮弁領域１４０、２４０、３４１、３４３は、特定の主張される圧力の下に設置されているときに閉位置になるように構成され得る。たとえば、圧縮弁領域１４０、２４０、３４１、３４３は、約２０Ｎ以下の、または約１９Ｎ以下の、または約１８Ｎ以下の、または約１７Ｎ以下の、または約１６Ｎ以下の、または約１５Ｎ以下の、または約１４Ｎ以下の、または約１３Ｎ以下の、または約１２Ｎ以下の、または約１１Ｎ以下の、または約１０Ｎ以下の、または約９Ｎ以下の、または約８Ｎ以下の、または約７Ｎ以下の、または約６Ｎ以下の、または約５Ｎ以下の主張される圧力の下に設置されているときに閉位置になるように構成され得る。さらに他の実施形態によれば、圧縮弁領域１４０、２４０、３４１、３４３は、少なくとも約１Ｎの、たとえば、少なくとも約１．５Ｎの、または、さらには、少なくとも約２．０Ｎなどの主張される圧力の下に設置されているときに閉位置になるように構成され得る。圧縮弁領域１４０、２４０、３４１、３４３は、上記に述べられている最小値および最大値のいずれかの間の範囲内の主張される圧力の下に設置されているときに閉位置になるように構成され得るということが認識されることとなる。圧縮弁領域１４０、２４０、３４１、３４３は、上記に述べられている最小値および最大値のいずれかの間の任意の値の主張される圧力の下に設置されているときに閉位置になるように構成され得るということがさらに認識されることとなる。
【００３９】
さらに他の実施形態によれば、圧縮弁領域１４０、２４０、３４１、３４３は、圧縮弁領域１４０、２４０、３４１、３４３を画定する外側壁部の平均厚さに等しい特定の平均厚さＡＴＣＶＲを有することが可能である。さらなる他の実施形態によれば、プライマリー・マニホールド・コンポーネント１２０は、プライマリー・マニホールド・コンポーネント１２０を画定する外側壁部の平均厚さに等しい特定の平均厚さＡＴＰＭＣを有することが可能である。さらなる他の実施形態によれば、補助マニホールド・コンポーネント１３０は、補助マニホールド・コンポーネント１３０を画定する外側壁部の平均厚さに等しい特定の平均厚さＡＴＡＭＣを有することが可能である。
【００４０】
さらなる他の実施形態によれば、圧縮弁領域１４０、２４０、３４１、３４３の平均厚さＡＴＣＶＲは、プライマリー・マニホールド・コンポーネント１２０の平均厚さＡＴＰＭＣとは異なっていてもよい。さらなる他の実施形態によれば、圧縮弁領域ＡＴＣＶＲの平均厚さは、０．９ＡＴＰＭＣ以下に、たとえば、０．８ＡＴＰＭＣ以下に、または０．７ＡＴＰＭＣ以下に、または０．６ＡＴＰＭＣ以下に、または０．５ＡＴＰＭＣ以下に、または０．４ＡＴＰＭＣ以下に、または０．３ＡＴＰＭＣ以下に、または、さらには、０．２ＡＴＰＭＣ以下などになっていてもよい。さらに他の実施形態によれば、圧縮弁領域ＡＴＣＶＲの平均厚さは、少なくとも約０．０１ＡＴＰＭＣ、たとえば、少なくとも約０．０５ＡＴＰＭＣ、または、さらには、少なくとも約０．１ＡＴＰＭＣであることが可能である。
【００４１】
さらなる他の実施形態によれば、圧縮弁領域１４０、２４０、３４１、３４３の平均厚さＡＴＣＶＲは、補助マニホールド・コンポーネント１３０の平均厚さＡＴＡＭＣとは異なっていてもよい。さらなる他の実施形態によれば、圧縮弁領域ＡＴＣＶＲの平均厚さは、０．９ＡＴＡＭＣ以下に、たとえば、０．８ＡＴＡＭＣ以下に、または０．７ＡＴＡＭＣ以下に、または０．６ＡＴＡＭＣ以下に、または０．５ＡＴＡＭＣ以下に、または０．４ＡＴＡＭＣ以下に、または０．３ＡＴＡＭＣ以下に、または、さらには、０．２ＡＴＡＭＣ以下などになっていてもよい。さらに他の実施形態によれば、圧縮弁領域ＡＴＡＶＲの平均厚さは、少なくとも約０．０１ＡＴＡＭＣ、たとえば、少なくとも約０．０５ＡＴＡＭＣ、または、さらには、少なくとも約０．１ＡＴＡＭＣであることが可能である。
【００４２】
さらに他の実施形態によれば、圧縮弁領域１４０、２４０、３４１、３４３は、圧縮弁領域１４０、２４０、３４１、３４３を画定する外側壁部の平均引張強度に等しい特定の平均引張強度ＴＳＣＶＲを有することが可能である。さらなる他の実施形態によれば、プライマリー・マニホールド・コンポーネント１２０は、プライマリー・マニホールド・コンポーネント１２０を画定する外側壁部の平均引張強度に等しい特定の平均引張強度ＴＳＰＭＣを有することが可能である。さらなる他の実施形態によれば、補助マニホールド・コンポーネント１３０は、補助マニホールド・コンポーネント１３０を画定する外側壁部の平均引張強度に等しい特定の平均引張強度ＴＳＡＭＣを有することが可能である。
【００４３】
さらなる他の実施形態によれば、圧縮弁領域１４０、２４０、３４１、３４３の平均引張強度ＴＳＣＶＲは、プライマリー・マニホールド・コンポーネント１２０の平均引張強度ＴＳＰＭＣとは異なっていてもよい。さらなる他の実施形態によれば、圧縮弁領域ＴＳＣＶＲの平均引張強度は、０．９ＴＳＰＭＣ以下に、たとえば、０．８ＴＳＰＭＣ以下に、または０．７ＴＳＰＭＣ以下に、または０．６ＴＳＰＭＣ以下に、または０．５ＴＳＰＭＣ以下に、または０．４ＴＳＰＭＣ以下に、または０．３ＴＳＰＭＣ以下に、または、さらには、０．２ＴＳＰＭＣ以下などになっていてもよい。さらに他の実施形態によれば、圧縮弁領域ＴＳＣＶＲの平均引張強度は、少なくとも約０．０１ＴＳＰＭＣ、たとえば、少なくとも約０．０５ＴＳＰＭＣ、または、さらには、少なくとも約０．１ＴＳＰＭＣなどであることが可能である。
【００４４】
さらなる他の実施形態によれば、圧縮弁領域１４０、２４０、３４１、３４３の平均引張強度ＴＳＣＶＲは、補助マニホールド・コンポーネント１３０の平均引張強度ＴＳＡＭＣとは異なっていてもよい。さらなる他の実施形態によれば、圧縮弁領域ＴＳＣＶＲの平均引張強度は、０．９ＴＳＡＭＣ以下に、たとえば、０．８ＴＳＡＭＣ以下に、または０．７ＴＳＡＭＣ以下に、または０．６ＴＳＡＭＣ以下に、または０．５ＴＳＡＭＣ以下に、または０．４ＴＳＡＭＣ以下に、または０．３ＴＳＡＭＣ以下に、または、さらには、０．２ＴＳＡＭＣ以下などになっていてもよい。さらに他の実施形態によれば、圧縮弁領域ＴＳＣＶＲの平均引張強度は、少なくとも約０．０１ＴＳＡＭＣ、たとえば、少なくとも約０．０５ＴＳＡＭＣ、または、さらには、少なくとも約０．１ＴＳＡＭＣなどであることが可能である。
【００４５】
さらに他の実施形態によれば、圧縮弁領域１４０、２４０、３４１、３４３は、圧縮弁領域１４０、２４０、３４１、３４３を画定する外側壁部の平均密度に等しい特定の平均密度ＤＮＣＶＲを有することが可能である。さらなる他の実施形態によれば、プライマリー・マニホールド・コンポーネント１２０は、プライマリー・マニホールド・コンポーネント１２０を画定する外側壁部の平均密度に等しい特定の平均密度ＤＮＰＭＣを有することが可能である。さらなる他の実施形態によれば、補助マニホールド・コンポーネント１３０は、補助マニホールド・コンポーネント１３０を画定する外側壁部の平均密度に等しい特定の平均密度ＤＮＡＭＣを有することが可能である。
【００４６】
さらなる他の実施形態によれば、圧縮弁領域１４０、２４０、３４１、３４３の平均密度ＤＮＣＶＲは、プライマリー・マニホールド・コンポーネント１２０の平均密度ＤＮＰＭＣとは異なっていてもよい。さらなる他の実施形態によれば、圧縮弁領域ＤＮＣＶＲの平均密度は、０．９ＤＮＰＭＣ以下に、たとえば、０．８ＤＮＰＭＣ以下に、または０．７ＤＮＰＭＣ以下に、または０．６ＤＮＰＭＣ以下に、または０．５ＤＮＰＭＣ以下に、または０．４ＤＮＰＭＣ以下に、または０．３ＤＮＰＭＣ以下に、または、さらには、０．２ＤＮＰＭＣ以下などになっていてもよい。さらに他の実施形態によれば、圧縮弁領域ＤＮＣＶＲの平均密度は、少なくとも約０．０１ＤＮＰＭＣ、たとえば、少なくとも約０．０５ＤＮＰＭＣ、または、さらには、少なくとも約０．１ＤＮＰＭＣなどであることが可能である。
【００４７】
さらなる他の実施形態によれば、圧縮弁領域１４０、２４０、３４１、３４３の平均密度ＤＮＣＶＲは、補助マニホールド・コンポーネント１３０の平均密度ＤＮＡＭＣとは異なっていてもよい。さらなる他の実施形態によれば、圧縮弁領域ＤＮＣＶＲの平均密度は、０．９ＤＮＡＭＣ以下に、たとえば、０．８ＤＮＡＭＣ以下に、または０．７ＤＮＡＭＣ以下に、または０．６ＤＮＡＭＣ以下に、または０．５ＤＮＡＭＣ以下に、または０．４ＤＮＡＭＣ以下に、または０．３ＤＮＡＭＣ以下に、または、さらには、０．２ＤＮＡＭＣ以下などになっていてもよい。さらに他の実施形態によれば、圧縮弁領域ＤＮＡＶＲの平均密度は、少なくとも約０．０１ＤＮＡＭＣ、たとえば、少なくとも約０．０５ＤＮＡＭＣ、または、さらには、少なくとも約０．１ＤＮＡＭＣなどであることが可能である。
【００４８】
さらに他の実施形態によれば、プライマリー・マニホールド・コンポーネント１２０および圧縮弁領域１４０、２４０、３４１、３４３は、個別の形状を有することが可能である。さらに他の実施形態によれば、補助マニホールド・コンポーネント１３０および圧縮弁領域１４０、２４０、３４１、３４３は、個別の形状を有することが可能である。
【００４９】
さらなる他の実施形態によれば、圧縮弁領域１４０、２４０、３４１、３４３は、プライマリー・マニホールド・コンポーネントの中へ延在する陥凹部を含むことが可能である。さらに他の実施形態によれば、圧縮弁領域１４０、２４０、３４１、３４３は、プライマリー・マニホールド・コンポーネントから外へ突出する隆起部を含むことが可能である。
【００５０】
さらに他の実施形態によれば、プライマリー・チャネル１２２、２２２、３２２は、直線的になっていることが可能である。さらに他の実施形態によれば、プライマリー・チャネル１２２、２２２、３２２は、平均内径ＤＰＣを有することが可能である。さらなる他の実施形態によれば、補助チャネル１３２、２３２、３３２のそれぞれは、直線的になっていることが可能である。さらなる他の実施形態によれば、補助チャネル１３２、２３２、３３２のそれぞれは、平均内径ＤＡＣを有することが可能である。さらに他の実施形態によれば、プライマリー・チャネル１２２、２２２、３２２は、補助チャネルＤＡＣのそれぞれの内径よりも大きい内径ＤＰＣを有することが可能である。さらなる他の実施形態によれば、プライマリー・チャネル１２２、２２２、３２２は、補助チャネル１３２、２３２、３３２のそれぞれの内径ＤＡＣに等しい内径ＤＰＣを有することが可能である。
【００５１】
さらに他の実施形態によれば、流体マニホールド１００、２００、３００は、特定のチャネル直径比ＤＰＣ／ＤＡＣを有することが可能である。たとえば、流体マニホールド１００、２００、３００は、少なくとも０．０１の、少なくとも０．０５の、または少なくとも０．１の、または少なくとも０．２の、または少なくとも０．３の、または少なくとも０．４の、または少なくとも０．５の、または少なくとも０．６の、または少なくとも０．７の、または少なくとも０．８の、または、さらには、少なくとも０．９の、チャネル直径比ＤＰＣ／ＤＡＣを有することが可能である。さらに他の実施形態によれば、流体マニホールド１００、２００、３００は、０．９９以下の、たとえば、０．９以下の、または０．８以下の、または０．７以下の、または０．６以下の、または０．５以下の、または０．４以下の、または０．３以下の、または０．２以下の、または０．１以下の、または、さらには、０．０５以下のチャネル直径比ＤＰＣ／ＤＡＣを有することが可能である。流体マニホールド１００、２００、３００は、上記に述べられている値のいずれかの間の範囲内の特定のチャネル直径比ＤＰＣ／ＤＡＣを有することが可能であるということが認識されることとなる。流体マニホールド１００、２００、３００は、上記に述べられている値のいずれかの間の任意の値特定のチャネル直径比ＤＰＣ／ＤＡＣを有することが可能であるということがさらに認識されることとなる。
【００５２】
さらに他の実施形態によれば、プライマリー・チャネル１２２、２２２、３２２は、特定の平均直径ＤＤＣを有することが可能である。たとえば、プライマリー・チャネル１２２、２２２、３２２は、少なくとも１ｍｍの、たとえば、少なくとも２ｍｍの、または少なくとも５ｍｍの、または少なくとも１０ｍｍの、または少なくとも１５ｍｍの、または少なくとも２０ｍｍの、または少なくとも２５ｍｍの、または少なくとも１０ｍｍの、または少なくとも１５ｍｍの、または少なくとも２０ｍｍの、または少なくとも２５ｍｍの、または少なくとも３０ｍｍの、または少なくとも３５ｍｍの、または少なくとも４０ｍｍの、または少なくとも４５ｍｍの、または少なくとも７０ｍｍの、または少なくとも７５ｍｍの、または少なくとも８０ｍｍの、または少なくとも８５ｍｍの、または少なくとも９０ｍｍの、または、さらには、少なくとも９５ｍｍなどの平均直径ＤＤＣを有することが可能である。さらなる他の実施形態によれば、プライマリー・チャネル１２２、２２２、３２２は、１００ｍｍ以下の、たとえば、以下の、または９５ｍｍ以下の、または９０ｍｍ以下の、または８５ｍｍ以下の、または８０ｍｍ以下の、または７５ｍｍ以下の、または７０ｍｍ以下の、または６５ｍｍ以下の、または６０ｍｍ以下の、または５５ｍｍ以下の、または５０ｍｍ以下の、または４５ｍｍ以下の、または４０ｍｍ以下の、または３５ｍｍ以下の、または３０ｍｍ以下の、または２５ｍｍ以下の、または２０ｍｍ以下の、または１５ｍｍ以下の、または１０ｍｍ以下の、または５ｍｍ以下の、または、さらには、２ｍｍ以下などの平均直径ＤＤＣを有することが可能である。プライマリー・チャネル１２２、２２２、３２２は、上記に述べられている値のいずれかの間の範囲内の平均直径ＤＤＣを有することが可能であるということが認識されることとなる。プライマリー・チャネル１２２、２２２、３２２は、上記に述べられている値のいずれかの間の任意の値の平均直径ＤＤＣを有することが可能であるということがさらに認識されることとなる。
【００５３】
さらに他の実施形態によれば、補助チャネル１３２、２３２、３３２は、特定の平均直径ＤＡＣを有することが可能である。たとえば、補助チャネル１３２、２３２、３３２は、少なくとも１ｍｍの、たとえば、少なくとも２ｍｍの、または少なくとも３ｍｍの、または少なくとも１０ｍｍの、または少なくとも１５ｍｍの、または少なくとも２０ｍｍの、または少なくとも２５ｍｍの、または少なくとも１０ｍｍの、または少なくとも１５ｍｍの、または少なくとも２０ｍｍの、または少なくとも２５ｍｍの、または少なくとも３０ｍｍの、または少なくとも３５ｍｍの、または少なくとも４０ｍｍの、または少なくとも４５ｍｍの、または少なくとも７０ｍｍの、または少なくとも７５ｍｍの、または少なくとも８０ｍｍの、または少なくとも８５ｍｍの、または少なくとも９０ｍｍの、または、さらには、少なくとも９５ｍｍなどの平均直径ＤＡＣを有することが可能である。さらなる他の実施形態によれば、補助チャネル１３２、２３２、３３２は、１００ｍｍ以下の、たとえば、９５ｍｍ以下の、または９０ｍｍ以下の、または８５ｍｍ以下の、または８０ｍｍ以下の、または７５ｍｍ以下の、または７０ｍｍ以下の、または６５ｍｍ以下の、または６０ｍｍ以下の、または５５ｍｍ以下の、または５０ｍｍ以下の、または４５ｍｍ以下の、または４０ｍｍ以下の、または３５ｍｍ以下の、または３０ｍｍ以下の、または２５ｍｍ以下の、または２０ｍｍ以下の、または１５ｍｍ以下の、または１０ｍｍ以下の、または５ｍｍ以下の、または、さらには、２ｍｍ以下などの平均直径ＤＡＣを有することが可能である。補助チャネル１３２、２３２、３３２は、上記に述べられている値のいずれかの間の範囲内の平均直径ＤＡＣを有することが可能であるということが認識されることとなる。補助チャネル１３２、２３２、３３２は、上記に述べられている値のいずれかの間の任意の値の平均直径ＤＡＣを有することが可能であるということがさらに認識されることとなる。
【００５４】
さらなる他の実施形態によれば、プライマリー・チャネル１２２、２２２、３２２は、円形断面を有することが可能である。さらに他の実施形態によれば、プライマリー・チャネル１２２、２２２、３２２は、非円形断面を有することが可能である。さらなる他の実施形態によれば、補助チャネル１３２、２３２、３３２は、円形断面を有することが可能である。さらに他の実施形態によれば、補助チャネル１３２、２３２、３３２は、非円形断面を有することが可能である。
【００５５】
他の実施形態によれば、流体マニホールド１００、２００、３００は、特定の材料を含むことが可能である。たとえば、流体マニホールド１００、２００、３００は、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせを含むことが可能である。
【００５６】
他の実施形態によれば、流体マニホールド１００、２００、３００は、本質的に、特定の材料からなることが可能である。たとえば、流体マニホールド１００、２００、３００は、本質的に、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせからなることが可能である。
【００５７】
他の実施形態によれば、プライマリー・マニホールド・コンポーネント１２０、２２０、３２０は、特定の材料を含むことが可能である。たとえば、プライマリー・マニホールド・コンポーネント１２０、２２０、３２０は、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせを含むことが可能である。
【００５８】
他の実施形態によれば、プライマリー・マニホールド・コンポーネント１２０、２２０、３２０は、本質的に、特定の材料からなることが可能である。たとえば、プライマリー・マニホールド・コンポーネント１２０、２２０、３２０は、本質的に、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせからなることが可能である。
【００５９】
他の実施形態によれば、補助マニホールド・コンポーネント１３０、２３０、３３０は、特定の材料を含むことが可能である。たとえば、補助マニホールド・コンポーネント１３０、２３０、３３０は、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせを含むことが可能である。
【００６０】
他の実施形態によれば、補助マニホールド・コンポーネント１３０、２３０、３３０は、本質的に、特定の材料からなることが可能である。たとえば、補助マニホールド・コンポーネント１３０、２３０、３３０は、本質的に、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせからなることが可能である。
【００６１】
他の実施形態によれば、圧縮弁領域１４０、２４０、３４１、３４３は、特定の材料を含むことが可能である。たとえば、圧縮弁領域１４０、２４０、３４１、３４３は、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせを含むことが可能である。
【００６２】
他の実施形態によれば、圧縮弁領域１４０、２４０、３４１、３４３は、本質的に、特定の材料からなることが可能である。たとえば、圧縮弁領域１４０、２４０、３４１、３４３は、本質的に、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせからなることが可能である。
【００６３】
他の実施形態によれば、流体マニホールド１００、２００、３００は、埋め込み補強材料を含むことが可能である。さらに他の実施形態によれば、埋め込み補強材料は、ポリエステル、接着変性ポリエステル、ポリアミド、ポリアラミド、ステンレス鋼、または、それらの任意の組み合わせを含むことが可能である。さらに他の実施形態によれば、埋め込み補強材料は、本質的に、ポリエステル、接着変性ポリエステル、ポリアミド、ポリアラミド、ステンレス鋼、または、それらの任意の組み合わせからなることが可能である。さらに他の実施形態によれば、埋め込み補強材料は、ワイヤーまたはストランドを含むことが可能である。さらに他の実施形態によれば、埋め込み補強材料は、編組ワイヤーまたは編組ストランドを含むことが可能である。
【００６４】
他の実施形態によれば、流体マニホールド１００、２００、３００は、補強シェルによって覆われ得る。さらに他の実施形態によれば、補強シェルは、ポリマー材料を含むことが可能である。さらに他の実施形態によれば、補強シェルは、本質的に、ポリマー材料からなることが可能である。さらに他の実施形態によれば、補強シェルは、熱可塑性の材料を含むことが可能である。さらに他の実施形態によれば、補強シェルは、熱可塑性の材料からなることが可能である。さらに他の実施形態によれば、補強シェルは、ポリプロピレンを含むことが可能である。さらに他の実施形態によれば、補強シェルは、ポリプロピレンからなることが可能である。
【００６５】
図４は、本明細書で説明されている特定の実施形態による流体マニホールド・アッセンブリ４００の斜視図の図示を含む。ある実施形態によれば、および、図４に示されているように、流体マニホールド・アッセンブリ４００は、流体マニホールド４０１（３００、２００、３００）および少なくとも１つのクランピング・コンポーネント４５０を含むことが可能である。
【００６６】
流体マニホールド４０１は、図１ａ、図２、または図３の流体マニホールド（すなわち、流体マニホールド１００、２００、３００）を参照して説明されているコンポーネントおよび特性のいずれかを含むことが可能であるということが認識されることとなる。図示の目的のために、流体マニホールド４０１は、本体部１１０を含むことが可能であり、本体部１１０は、近位端部４１２と、遠位端部４１４と、近位端部４１２から遠位端部４１４へ延在するプライマリー・マニホールド・コンポーネント４２０とを含むことが可能である。プライマリー・マニホールド・コンポーネント４２０は、プライマリー・チャネル４２２を囲むことが可能である。本体部４１０は、プライマリー・マニホールド・コンポーネント４２０から分岐する少なくとも１つの補助マニホールド・コンポーネント４３０をさらに含むことが可能である。補助マニホールド・コンポーネント４３０は、プライマリー・チャネル４２２に接続された補助チャネル４３２を囲むことが可能である。本体部４１０は、プライマリー・マニホールド・コンポーネント４２０と補助マニホールド・コンポーネント４３０との間に配設されている少なくとも１つの圧縮弁領域４４０をさらに含むことが可能である。特定の実施形態によれば、圧縮弁領域４４０は、開位置と閉位置との間で動作可能であり得る。
【００６７】
特定の実施形態によれば、クランピング・コンポーネント４５０は、少なくとも１つの圧縮弁領域４４０のそれぞれに配設され得る。さらに他の実施形態によれば、クランピング・コンポーネント４５０は、圧縮弁領域４４０が閉位置に設置されるように、圧縮弁領域４４０に十分な圧力を印加するように構成され得る。
【００６８】
さらなる他の実施形態によれば、流体マニホールド・アッセンブリ４００は、プライマリー・マニホールド・コンポーネント４２０の少なくとも一部分によってオーバーモールドされたプライマリー・チューブ４２５をさらに含むことが可能である。特定の実施形態によれば、プライマリー・チューブ４２５は、本体部４１０の近位端部においてオーバーモールドされ得る。さらなる他の実施形態によれば、プライマリー・チューブ４２５は、プライマリー・マニホールド・コンポーネント４２０のプライマリー・チャネル４２２にオーバーモールドされ得る。
【００６９】
さらに他の実施形態によれば、流体マニホールド・アッセンブリ４００は、少なくとも１つの補助マニホールド・コンポーネント４３０の少なくとも一部分によってオーバーモールドされた補助チューブ４３５をさらに含むことが可能である。さらなる他の実施形態によれば、補助チューブ４３５は、補助マニホールド・コンポーネント４３０の補助チャネル４３２にオーバーモールドされ得る。さらに他の実施形態によれば、流体マニホールド・アッセンブリ４００は、補助マニホールド・コンポーネント４３０のうちの任意の１つまたはそれぞれと関連付けられた別個の補助チューブ４３５をさらに含むことが可能である。特定の実施形態によれば、補助チューブ４３５のそれぞれは、対応する補助マニホールド・コンポーネント４３０の少なくとも一部分によってオーバーモールドされ得る。さらなる他の実施形態によれば、補助チューブ４３５のそれぞれは、対応する補助マニホールド・コンポーネント４３０の補助チャネル４３２にオーバーモールドされ得る。
【００７０】
特定の実施形態によれば、プライマリー・チューブ４２５は、チューブに隣接する開口部におけるプライマリー・チャネル４２２の内径に対応するかまたはそれに等しい内径を有することが可能である。
【００７１】
さらなる他の実施形態によれば、補助チューブ４３５は、チューブに隣接する開口部における対応する補助チャネル４３２の内径に対応するかまたはそれに等しい内径を有することが可能である。
【００７２】
さらに他の実施形態によれば、プライマリー・チューブ４２５は、ポリマー材料を含むことが可能である。さらなる他の実施形態によれば、プライマリー・チューブ４２５は、熱可塑性物質、熱硬化性物質、エラストマー、熱可塑性エラストマー、エンジニアリング熱可塑性エラストマー、または、それらの任意の組み合わせを含むことが可能である。他の実施形態によれば、プライマリー・チューブ４２５は、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせを含むことが可能である。
【００７３】
さらに他の実施形態によれば、プライマリー・チューブ４２５は、本質的に、ポリマー材料からなることが可能である。さらなる他の実施形態によれば、プライマリー・チューブ４２５は、本質的に、熱可塑性物質、熱硬化性物質、エラストマー、熱可塑性エラストマー、エンジニアリング熱可塑性エラストマー、または、それらの任意の組み合わせからなることが可能である。他の実施形態によれば、プライマリー・チューブ４２５は、本質的に、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせからなることが可能である。
【００７４】
さらに他の実施形態によれば、補助チューブ４３５は、ポリマー材料を含むことが可能である。さらなる他の実施形態によれば、補助チューブ４３５は、熱可塑性物質、熱硬化性物質、エラストマー、熱可塑性エラストマー、エンジニアリング熱可塑性エラストマー、または、それらの任意の組み合わせを含むことが可能である。他の実施形態によれば、補助チューブ４３５は、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせを含むことが可能である。
【００７５】
さらに他の実施形態によれば、補助チューブ４３５は、本質的に、ポリマー材料からなることが可能である。さらなる他の実施形態によれば、補助チューブ４３５は、本質的に、熱可塑性物質、熱硬化性物質、エラストマー、熱可塑性エラストマー、エンジニアリング熱可塑性エラストマー、または、それらの任意の組み合わせからなることが可能である。他の実施形態によれば、補助チューブ４３５は、本質的に、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、ポリ［フッ化ビニリデン］（ＰＶＤＦ）、または、それらの任意の組み合わせからなることが可能である。
【００７６】
他の実施形態によれば、クランピング・コンポーネントは、クランピング・コンポーネントを覆うシリンダーを含むことが可能であり、流体マニホールドを保持するように構成され得る。図５ａは、特定の実施形態による、流体マニホールド５０１がクランピング装置５００の中に着座させられた状態のシリンダー・ケース５１０を含むクランピング装置５００の斜視図の図示を含む。図５ｂは、別の実施形態による、流体マニホールド５０１をロードおよび覆うためのヒンジ付きドア５２０を示す、クランピング装置５００の斜視図の図示を含む。図５ｃは、別の実施形態による、クランピング装置５００のヒンジ付きドア５２０を固定するためにシリンダー・ケース５１０の中へ挿入されたボール・ディテント・ピン５３０を示す、クランピング装置５００の斜視図の図示を含む。図５ｄは、別の実施形態による、クランピング装置５００のヒンジ付きドア５２０を固定するためのボール・ディテント・ピン５３０を示すクランピング装置５００の斜視図の図示を含む。図５ｅは、別の実施形態による、流体マニホールド５０１がクランピング装置５００の中に着座させられた状態で開構成になっているシリンダー・ケース５１０を含むクランピング装置５００の断面の斜視図の図示を含み、クランピング・コンポーネント５５０を示す図示を含む。図５ｆは、別の実施形態による、流体マニホールド５０１がクランピング装置５００の中に着座させられた状態で閉構成になっているシリンダー・ケース５１０を含むクランピング装置５００の断面の斜視図の図示を含み、クランピング・コンポーネント５５０図示を含む。図５ｇは、別の実施形態による、クランピング・コンポーネント５５０を保持しているクランピング装置５００の一部分の斜視図の図示を含む。図５ｈは、別の実施形態による、クランピング・コンポーネント５５０を保持するための開口部を備えたクランピング装置５００の一部分の斜視図の図示を含む。クランピング装置５００は、たとえば、電気的な手段、機械的な手段、油圧手段、および空気圧式の手段などのような、作動手段を通して、クランピング・コンポーネント５５０を作動させるために作動させられ得る。これらの作動手段の非限定的な例は、シリンダー、レバー、および歯車装置を含むことが可能である。
【００７７】
図６は、本明細書で説明されている特定の実施形態による流体マニホールドの斜視図の図示を含む。図７〜図１０は、本明細書で説明されている特定の実施形態による流体マニホールド・アッセンブリのさまざまな例の斜視図の図示を含む。
【００７８】
多くの異なる態様および実施形態が可能である。それらの態様および実施形態のうちのいくつかが、本明細書で説明されている。本明細書を読んだ後に、当業者は、それらの態様および実施形態は、単に例示目的のものに過ぎず、本発明の範囲を限定しないということを認識することとなる。実施形態は、下記に列挙されているような実施形態のうちの任意の１つまたは複数にしたがったものであることが可能である。
【００７９】
実施形態１．  本体部を含む流体マニホールドであって、本体部は、近位端部と、遠位端部と、プライマリー・マニホールド・コンポーネントであって、プライマリー・マニホールド・コンポーネントは、本体部の近位端部から本体部の遠位端部へ延在しており、プライマリー・チャネルを囲んでいる、プライマリー・マニホールド・コンポーネントと、少なくとも１つの補助マニホールド・コンポーネントであって、少なくとも１つの補助マニホールド・コンポーネントは、プライマリー・マニホールド・コンポーネントから分岐しており、プライマリー・チャネル出口ポートにおいてプライマリー・チャネルに接続された補助チャネルを囲んでいる、少なくとも１つの補助マニホールド・コンポーネントと、本体部に沿って配設されている少なくとも１つの圧縮弁領域であって、少なくとも１つの圧縮弁領域は、開位置と閉位置との間で動作可能であり、閉位置になっているときには、流体フローがプライマリー・チャネルを通って流れること、および、流体フローがプライマリー・チャネルから外へ補助チャネルの中へ流れることのうちの少なくとも１つを制限されるようになっている、少なくとも１つの圧縮弁領域とを含む、流体マニホールド。
【００８０】
実施形態２．  流体マニホールド・アッセンブリであって、流体マニホールド・アッセンブリは、本体部を含む流体マニホールドと、クランピング・コンポーネントとを含み、本体部は、近位端部と、遠位端部と、プライマリー・マニホールド・コンポーネントであって、プライマリー・マニホールド・コンポーネントは、本体部の近位端部から本体部の遠位端部へ延在しており、プライマリー・チャネルを囲んでいる、プライマリー・マニホールド・コンポーネントと、少なくとも１つの補助マニホールド・コンポーネントであって、少なくとも１つの補助マニホールド・コンポーネントは、プライマリー・マニホールド・コンポーネントから分岐しており、プライマリー・チャネル出口ポートにおいてプライマリー・チャネルに接続された補助チャネルを囲んでいる、少なくとも１つの補助マニホールド・コンポーネントと、本体部に沿って配設されている少なくとも１つの圧縮弁領域であって、少なくとも１つの圧縮弁領域は、開位置と閉位置との間で動作可能であり、閉位置になっているときには、流体フローがプライマリー・チャネルを通って流れること、および、流体フローがプライマリー・チャネルから外へ補助チャネルの中へ流れることのうちの少なくとも１つを制限されるようになっている、少なくとも１つの圧縮弁領域とを含み、クランピング・コンポーネントは、流体マニホールドの少なくとも１つの圧縮弁領域のそれぞれに配設されている、流体マニホールド・アッセンブリ。
【００８１】
実施形態３．  圧縮弁領域は、プライマリー圧縮マニホールド弁であり、プライマリー圧縮マニホールド弁は、プライマリー・マニホールド・コンポーネントに沿って配設されており、閉位置になっているときに、流体フローがプライマリー・チャネルを通って流れないように制限されるようになっている、実施形態１に記載の流体マニホールド。
【００８２】
実施形態４．  圧縮弁領域は、プライマリー・チャネル出口ポートと本体部の遠位端部との間にプライマリー・マニホールドに沿って配設されている、実施形態１および３のいずれか１つに記載の流体マニホールド。
【００８３】
実施形態５．  圧縮弁領域は、プライマリー・マニホールドに沿って配設されており、閉位置になっているときに、補助チャネルがプライマリー・チャネルと概して同じ境界内にあるようになっている、実施形態１、３、および４のいずれか１つに記載の流体マニホールド。
【００８４】
実施形態６．  プライマリー・チャネルは、平均直径ＤＰＣを有しており、また、本体部の近位端部と本体部の遠位端部との間でその長さに沿って第１の軸線を有しており、補助チャネルは、平均直径ＤＡＣを有しており、また、その長さに沿って第２の軸線を有しており、圧縮弁領域は、プライマリー・マニホールドに沿って配設されており、閉位置になっているときに、プライマリー・チャネルおよび補助チャネルが交差し、エルボ・ベンドを形成するようになっており、エルボ・ベンドは、所定の球体によって画定される体積の中に含有されており、球体は、ＤＰＣおよびＤＡＣのうちの大きい方に等しい直径を有しており、球体は、第１の軸線および第２の軸線の交差部において中心を合わせられている、実施形態１、３、４、および５のいずれか１つに記載の流体マニホールド。
【００８５】
実施形態７．  プライマリー・チャネルは、補助チャネルの遠位縁部を越えて、０．４＊ＤＡＣ以下の、または０．３＊ＤＡＣ以下の、または０．２５＊ＤＡＣ以下の、または０．２＊ＤＡＣ以下の、または０．１５＊ＤＡＣ以下の、または０．１＊ＤＡＣ以下の、または０．０５＊ＤＡＣ以下の、または０．０１＊ＤＡＣの距離まで延在している、実施形態６に記載の流体マニホールド。
【００８６】
実施形態８．  エルボ・ベンドは、直角を有しており、エルボ・ベンドは、鋭角を有しており、エルボ・ベンドは、鈍角を有している、実施形態６に記載の流体マニホールド。
【００８７】
実施形態９．  プライマリー・チャネルの軸線は、補助チャネルのうちの少なくとも１つの軸線に対して垂直になっている、実施形態６に記載の流体マニホールド。
【００８８】
実施形態１０．  圧縮弁領域は、プライマリー・チャネル出口ポート弁であり、プライマリー・チャネル出口ポート弁は、流体マニホールドの本体部に沿って配設されており、プライマリー・チャネル出口ポート弁が閉位置になっているときに、流体フローがプライマリー・チャネルから外へ補助チャネルの中へ流れないように制限されるようになっている、実施形態１に記載の流体マニホールド。
【００８９】
実施形態１１．  圧縮弁領域は、プライマリー・チャネル出口ポートにおいて流体マニホールドの本体部に沿って配設されている、実施形態１および１０のいずれか１つに記載の流体マニホールド。
【００９０】
実施形態１２．  圧縮弁領域は、流体マニホールドの本体部に沿って配設されており、圧縮弁領域が閉位置になっているときに、プライマリー・チャネルから外へ補助チャネルの中への流体フローを制限する弁領域の圧縮された部分が、プライマリー・マニホールド・コンポーネントの内部壁部と概して同一平面上になるようになっている、実施形態１、１０、および１１のいずれか１つに記載の流体マニホールド。
【００９１】
実施形態１３．  圧縮弁領域は、プライマリー・マニホールド・コンポーネントに沿って配設されており、閉位置になっているときに、圧縮弁領域の長さに広がるプライマリー・チャネルの領域が、約０．５以下の長手方向デッド・スペース・ファクター（ＬＤＳＦ）を有するようになっており、ここで、ＬＤＳＦ＝｜ＡＣＰＰＣ−ＡＣＰＣＲ｜／ＡＣＰＰＣであり、ここで、ＡＣＰＰＣは、本体部の近位端部と本体部の遠位端部との間のプライマリー・チャネルの平均断面外周に等しく、ここで、ＡＣＰＣＲは、圧縮弁領域の長さに広がるプライマリー・チャネルの平均断面外周に等しい、実施形態１、１０、１１、および１２のいずれか１つに記載の流体マニホールド。
【００９２】
実施形態１４．  圧縮弁領域は、プライマリー・マニホールド・コンポーネントに沿って配設されており、閉位置になっているときに、圧縮弁領域の長さに広がるプライマリー・チャネルの領域が、約０．４５の、または０．４の、または０．３５の、または０．３の、または０．２５の、または０．２の、または０．１５の、または０．１の、または０．０１の長手方向デッド・スペース・ファクター（ＬＤＳＦ）を有するようになっている、実施形態８に記載の流体マニホールド。
【００９３】
実施形態１５．  圧縮弁領域は、約２０Ｎ以下の、または約１９Ｎ以下の、または約１８Ｎ以下の、または約１７Ｎ以下の、または約１６Ｎ以下の、または約１５Ｎ以下の、または約１４Ｎ以下の、または約１３Ｎ以下の、または約１２Ｎ以下の、または約１１Ｎ以下の、または約１０Ｎ以下の、または約９Ｎ以下の、または約８Ｎ以下の、または約７Ｎ以下の、または約６Ｎ以下の、または約５Ｎ以下の主張される圧力の下で、閉位置になるように構成されている、上記実施形態のうちのいずれか１つに記載の流体マニホールド。
【００９４】
実施形態１６．  圧縮弁領域は、平均厚さＡＴＣＶＲを有しており、プライマリー・マニホールド・コンポーネントは、平均厚さＡＴＰＭＣを有しており、ＡＴＣＶＲは、ＡＴＰＭＣとは異なっている、上記実施形態のうちのいずれか１つに記載の流体マニホールド。
【００９５】
実施形態１７．  圧縮弁領域ＡＴＣＶＲの平均厚さは、０．９ＡＴＰＭＣ以下に、または０．８ＡＴＰＭＣ以下に、または０．７ＡＴＰＭＣ以下に、または０．６ＡＴＰＭＣ以下に、または０．５ＡＴＰＭＣ以下に、または０．４ＡＴＰＭＣ以下に、または０．３ＡＴＰＭＣ以下に、または０．２ＡＴＰＭＣ以下になっている、実施形態１６に記載の流体マニホールド。
【００９６】
実施形態１８．  圧縮弁領域は、平均引張強度ＴＳＣＲを有しており、プライマリー・マニホールド・コンポーネントは、平均引張強度ＴＳＰＭＣを有しており、ＴＳＣＲは、ＴＳＰＭＣとは異なっている、上記実施形態のうちのいずれか１つに記載の流体マニホールド。
【００９７】
実施形態１９．  圧縮弁領域の平均引張強度ＴＳＣＲは、０．９ＴＳＰＭＣ以下に、または０．８ＴＳＰＭＣ以下に、または０．７ＴＳＰＭＣ以下に、または０．６ＴＳＰＭＣ以下に、または０．５ＴＳＰＭＣ以下に、または０．４ＴＳＰＭＣ以下に、または０．３ＴＳＰＭＣ以下に、または０．２ＴＳＰＭＣ以下になっている、実施形態１８に記載の流体マニホールド。
【００９８】
実施形態２０．  圧縮弁領域は、平均密度ＤＮＣＲを有しており、プライマリー・マニホールド・コンポーネントは、平均密度ＤＮＰＭＣを有しており、ＤＮＣＲは、ＤＮＰＭＣとは異なっている、上記実施形態のうちのいずれか１つに記載の流体マニホールド。
【００９９】
実施形態２１．  圧縮弁領域ＤＮＣＲの平均密度は、０．９ＤＮＰＭＣ以下に、または０．８ＤＮＰＭＣ以下に、または０．７ＤＮＰＭＣ以下に、または０．６ＤＮＰＭＣ以下に、または０．５ＤＮＰＭＣ以下に、または０．４ＤＮＰＭＣ以下に、または０．３ＤＮＰＭＣ以下に、または０．２ＴＣＰＭＣ以下になっている、実施形態２０に記載の流体マニホールド。
【０１００】
実施形態２２．  圧縮弁領域およびプライマリー・マニホールド・コンポーネントは、個別の形状で構成されている、上記実施形態のうちのいずれか１つに記載の流体マニホールド。
【０１０１】
実施形態２３．  圧縮弁領域は、プライマリー・マニホールド・コンポーネントの中へ延在する陥凹部を含む、実施形態２２に記載の流体マニホールド。
【０１０２】
実施形態２４．  圧縮弁領域は、プライマリー・マニホールド・コンポーネントから外へ突出する隆起部を含む、実施形態２２に記載の流体マニホールド。
【０１０３】
実施形態２５．  プライマリー・チャネルは、デッド・ゾーンを有していない、上記実施形態のうちのいずれか１つに記載の流体マニホールド。
【０１０４】
実施形態２６．  プライマリー・チャネルは、直線的になっている、上記実施形態のうちのいずれか１つに記載の流体マニホールド。
【０１０５】
実施形態２７．  プライマリー・チャネルは、補助チャネルのそれぞれの直径よりも大きい内径を有している、上記実施形態のうちのいずれか１つに記載の流体マニホールド。
【０１０６】
実施形態２８．  プライマリー・チャネルは、補助チャネルのそれぞれの直径に等しい内径を有している、上記実施形態のうちのいずれか１つに記載の流体マニホールド。
【０１０７】
実施形態２９．  プライマリー・チャネルは、平均直径ＤＰＣを有しており、また、本体部の近位端部と本体部の遠位端部との間でその長さに沿って第１の軸線を有しており、補助チャネルは、平均直径ＤＡＣを有しており、また、その長さに沿って第２の軸線を有しており、流体マニホールドは、少なくとも０．０１、または少なくとも０．０５、または少なくとも０．１、または少なくとも０．２、または少なくとも０．３、または少なくとも０．４、または少なくとも０．５、または少なくとも０．６、または少なくとも０．７、または少なくとも０．８、または少なくとも０．９のＤＰＣ／ＤＡＣの比を含む、上記実施形態のうちのいずれか１つに記載の流体マニホールド。
【０１０８】
実施形態３０．  流体マニホールドは、０．９９以下の、または０．９以下の、または０．８以下の、または０．７以下の、または０．６以下の、または０．５以下の、または０．４以下の、または０．３以下の、または０．２以下の、または０．１以下の、または０．０５以下のＤＤＣ／ＤＡＣの比を含む、上記実施形態のうちのいずれか１つに記載の流体マニホールド。
【０１０９】
実施形態３１．  プライマリー・チャネルは、少なくとも１ｍｍの、または少なくとも２ｍｍの、または少なくとも５ｍｍの、または少なくとも１０ｍｍの、または少なくとも１５ｍｍの、または少なくとも２０ｍｍの、または少なくとも２５ｍｍの、または少なくとも３０ｍｍの、または少なくとも３５ｍｍの、または少なくとも４０ｍｍの、または少なくとも４５ｍｍの、または少なくとも５０ｍｍの、または少なくとも５５ｍｍの、または少なくとも６０ｍｍの、または少なくとも６５ｍｍの、または少なくとも７０ｍｍの、または少なくとも７５ｍｍの、または少なくとも８０ｍｍの、または少なくとも８５ｍｍの、または少なくとも９０ｍｍの、または少なくとも９５の平均直径ＤＤＣを含む、上記実施形態のうちのいずれか１つに記載の流体マニホールド。
【０１１０】
実施形態３２．  プライマリー・チャネルは、１００ｍｍ、以下の、または９５ｍｍ以下の、または９０ｍｍ以下の、または８５ｍｍ以下の、または８０ｍｍ以下の、または７５ｍｍ以下の、または７０ｍｍ以下の、または６５ｍｍ以下の、または６０ｍｍ以下の、または５５ｍｍ以下の、または５０ｍｍ以下の、または４５ｍｍ以下の、または４０ｍｍ以下の、または３５ｍｍ以下の、または３０ｍｍ以下の、または２５ｍｍ以下の、または２０ｍｍ以下の、または１５ｍｍ以下の、または１０ｍｍ以下の、または５ｍｍ以下の、または２ｍｍ以下の平均直径ＤＤＣを含む、上記実施形態のうちのいずれか１つに記載の流体マニホールド。
【０１１１】
実施形態３３．  少なくとも１つの補助チャネルは、少なくとも１ｍｍの、または少なくとも２ｍｍの、または少なくとも５ｍｍの、または少なくとも１０ｍｍの、または少なくとも１５ｍｍの、または少なくとも２０ｍｍの、または少なくとも２５ｍｍの、または少なくとも３０ｍｍの、または少なくとも３５ｍｍの、または少なくとも４０ｍｍの、または少なくとも４５ｍｍの、または少なくとも５０ｍｍの、または少なくとも５５ｍｍの、または少なくとも６０ｍｍの、または少なくとも６５ｍｍの、または少なくとも７０ｍｍの、または少なくとも７５ｍｍの、または少なくとも８０ｍｍの、または少なくとも８５ｍｍの、または少なくとも９０ｍｍの、または少なくとも９５ｍｍの平均直径ＤＡＣを有している、上記実施形態のうちのいずれか１つに記載の流体マニホールド。
【０１１２】
実施形態３４．  少なくとも１つの補助チャネルは、１００ｍｍ以下の、または９５ｍｍ以下の、または９０ｍｍ以下の、または８５ｍｍ以下の、または８０ｍｍ以下の、または７５ｍｍ以下の、または７０ｍｍ以下の、または６５ｍｍ以下の、または６０ｍｍ以下の、または５５ｍｍ以下の、または５０ｍｍ以下の、または４５ｍｍ以下の、または４０ｍｍ以下の、または３５ｍｍ以下の、または３０ｍｍ以下の、または２５ｍｍ以下の、または２０ｍｍ以下の、または１５ｍｍ以下の、または１０ｍｍ以下の、または５ｍｍ以下の、または２ｍｍ以下の平均直径ＤＡＣを有している、上記実施形態のうちのいずれか１つに記載の流体マニホールド。
【０１１３】
実施形態３５．  プライマリー・チャネルは、円形断面を含む、上記実施形態のうちのいずれか１つに記載の流体マニホールド。
【０１１４】
実施形態３６．  プライマリー・チャネルは、非円形断面を含む、上記実施形態のうちのいずれか１つに記載の流体マニホールド。
【０１１５】
実施形態３７．  補助チャネルは、円形断面を含む、上記実施形態のうちのいずれか１つに記載の流体マニホールド。
【０１１６】
実施形態３８．  補助チャネルは、非円形断面を含む、上記実施形態のうちのいずれか１つに記載の流体マニホールド。
【０１１７】
実施形態３９．  流体マニホールドは、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、またはポリ［フッ化ビニリデン］（ＰＶＤＦ）を含む、上記実施形態うちのいずれか１つに記載の流体マニホールド。
【０１１８】
実施形態４０．  遠位サポートは、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、またはポリ［フッ化ビニリデン］（ＰＶＤＦ）を含む、上記実施形態うちのいずれか１つに記載の流体マニホールド。
【０１１９】
実施形態４１．  流体マニホールドは、埋め込み補強材料を含む、上記実施形態のうちのいずれか１つに記載の流体マニホールド。
【０１２０】
実施形態４２．  流体マニホールドは、埋め込み補強材料を含み、補強材料は、ポリエステル、接着変性ポリエステル、ポリアミド、ポリアラミド、またはステンレス鋼を含む、上記実施形態のうちのいずれか１つに記載の流体マニホールド。
【０１２１】
実施形態４３．  流体マニホールドは、埋め込み補強材料を含み、補強材料は、ワイヤーまたはストランドを含む、上記実施形態のうちのいずれか１つに記載の流体マニホールド。
【０１２２】
実施形態４４．  流体マニホールドは、埋め込み補強材料を含み、補強材料は、編組ワイヤーまたは編組ストランドを含む、上記実施形態のうちのいずれか１つに記載の流体マニホールド。
【０１２３】
実施形態４５．  流体マニホールドは、補強シェルによって覆われている、上記実施形態うちのいずれか１つに記載の流体マニホールド。
【０１２４】
実施形態４６．  流体マニホールドは、補強シェルによって覆われており、補強シェルは、ポリマー、熱可塑性物質、たとえば、ポリプロピレンなどを含む、上記実施形態のうちのいずれか１つに記載の流体マニホールド。
【０１２５】
実施形態４７．  流体マニホールドは、補強シェルによって覆われており、補強シェルは、熱可塑性物質を含む、上記実施形態のうちのいずれか１つに記載の流体マニホールド。
【０１２６】
実施形態４８．  流体マニホールドは、補強シェルによって覆われており、補強シェルは、ポリプロピレンを含む、上記実施形態のうちのいずれか１つに記載の流体マニホールド。
【０１２７】
実施形態４９．  アッセンブリは、流体マニホールドのプライマリー・チャネルにオーバーモールドされたプライマリー・チューブをさらに含む、実施形態２に記載の流体マニホールド・アッセンブリ。
【０１２８】
実施形態５０．  アッセンブリは、流体マニホールドのプライマリー・チャネルにオーバーモールドされたプライマリー・チューブをさらに含む、実施形態２に記載の流体マニホールド・アッセンブリ。
【０１２９】
実施形態５１．  アッセンブリは、少なくとも１つの補助チャネルのそれぞれにオーバーモールドされた補助チューブをさらに含む、実施形態２に記載の流体マニホールド・アッセンブリ。
【０１３０】
実施形態５２．  チューブのそれぞれは、ポリマーを含む、上記実施形態のうちのいずれか１つに記載の流体マニホールド。
【０１３１】
実施形態５３．  チューブのそれぞれは、熱可塑性物質、熱硬化性物質、エラストマー、熱可塑性エラストマー、またはエンジニアリング熱可塑性エラストマーを含む、上記実施形態のうちのいずれか１つに記載の流体マニホールド。
【０１３２】
実施形態５４．  チューブのそれぞれは、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、またはポリ［フッ化ビニリデン］（ＰＶＤＦ）を含む、上記実施形態のうちのいずれか１つに記載の流体マニホールド。
【０１３３】
実施形態５５．  流体マニホールドは、埋め込み補強材料を含む、上記実施形態のうちのいずれか１つに記載の流体マニホールド。
【０１３４】
実施形態５６．  流体マニホールドは、埋め込み補強材料を含み、補強材料は、ポリエステル、接着変性ポリエステル、ポリアミド、ポリアラミド、またはステンレス鋼を含む、上記実施形態のうちのいずれか１つに記載の流体マニホールド。
【０１３５】
実施形態５７．  流体マニホールドは、埋め込み補強材料を含み、補強材料は、ワイヤーまたはストランドを含む、上記実施形態のうちのいずれか１つに記載の流体マニホールド。
【０１３６】
実施形態５８．  流体マニホールドは、埋め込み補強材料を含み、補強材料は、編組ワイヤーまたは編組ストランドを含む、上記実施形態のうちのいずれか１つに記載の流体マニホールド。
【０１３７】
実施形態５９．  流体マニホールドは、補強シェルによって覆われている、上記実施形態のうちのいずれか１つに記載の流体マニホールド。
【０１３８】
実施形態６０．  流体マニホールドは、補強シェルによって覆われており、補強シェルは、ポリマー、熱可塑性物質、たとえば、ポリプロピレンなどを含む、上記実施形態のうちのいずれか１つに記載の流体マニホールド。
【０１３９】
実施形態６１．  流体マニホールドは、補強シェルによって覆われており、補強シェルは、熱可塑性物質を含む、上記実施形態のうちのいずれか１つに記載の流体マニホールド。
【０１４０】
実施形態６２．  流体マニホールドは、補強シェルによって覆われており、補強シェルは、ポリプロピレンを含む、上記実施形態のうちのいずれか１つに記載の流体マニホールド。
【０１４１】
先述の実施形態のものは、従来技術からの逸脱を表している。特に、本明細書で説明されている流体マニホールド、および、流体マニホールドを作製する方法は、当技術分野において以前は認識されていない特徴の組み合わせを含み、性能改善を促進させる。そのような特徴は、それに限定されないが、流体マニホールドの中の過剰なスペースまたはデッド・スペースを排除する場所において、とりわけ、マニホールドの補助出口ポートの近くのまたはそれに隣接する場所において、流体マニホールドの本体部の中の圧縮弁領域の包含を含むことが可能である。本明細書で説明されている流体マニホールドは、従来技術のマニホールドを上回る注目すべき予想外の改善を実証した。とりわけ、それらは、改善した流体フロー、低減した流体停滞、低いコスト、耐久性、製造のしやすさ、および、使用のしやすさを示した。
【０１４２】
全体的な説明の中に上記に説明されている活動のすべてが必要とされるわけではないということ、特定の活動の一部分は必要とされない可能性があるということ、および、説明されているものに加えて１つまたは複数のさらなる活動が実施され得るということに留意されたい。さらには、活動が列挙されている順序は、必ずしも、それらが実施される順序であるわけではない。
【０１４３】
利益、他の利点、および、課題に対する解決策が、特定の実施例に関して上記に説明されてきた。しかし、利益、利点、課題に対する解決策、ならびに、任意の利益、利点、または解決策が起こることまたはより顕著になることを引き起こすことができる任意の特徴は、任意のまたはすべての請求項の重要な、必要な、または必須の特徴として解釈されるべきではない。
【０１４４】
本明細書、および、本明細書で説明されている実施例の図示は、さまざまな実施例の構造の一般的な理解を提供することが意図されている。本明細書および図示は、本明細書で説明されている構造または方法を使用する装置およびシステムのエレメントおよび特徴のすべての徹底的なおよび包括的な説明としての役割を果たすことを意図していない。また、別個の実施例が、単一の実施例の中に組み合わせて提供され得り、逆に、簡潔化のために単一の実施例の文脈において説明されているさまざまな特徴が、また、別個にまたは任意のサブコンビネーションで提供され得る。さらに、範囲で記述されている値への参照は、その範囲の中のそれぞれの値およびすべての値を含む。多くの他の実施例が、この明細書を読んだ後にのみ、当業者に明らかになり得る。他の実施例が、本開示から使用および導出され得り、構造的置換、論理的置換、または別の変更が、本開示の範囲から逸脱することなく行われ得るようになっている。したがって、本開示は、制限的なものであるというよりもむしろ例示目的のものとして見なされるべきである。
【図１Ａ】
2020537097.tif 000003
【図１Ｂ】
2020537097.tif 000004
【図１Ｃ】
2020537097.tif 000005
【図２】
2020537097.tif 000006
【図３】
2020537097.tif 000007
【図４】
2020537097.tif 000008
【図５Ａ】
2020537097.tif 000009
【図５Ｂ】
2020537097.tif 000010
【図５Ｃ】
2020537097.tif 000011
【図５Ｄ】
2020537097.tif 000012
【図５Ｅ】
2020537097.tif 000013
【図５Ｆ】
2020537097.tif 000014
【図５Ｇ】
2020537097.tif 000015
【図５Ｈ】
2020537097.tif 000016
【図６】
2020537097.tif 000017
【図７】
2020537097.tif 000018
【図８】
2020537097.tif 000019
【図９】
2020537097.tif 000020
【図１０】
2020537097.tif 000021
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
本体部を含む流体マニホールドであって、前記本体部は、
近位端部と、
遠位端部と、
プライマリー・マニホールド・コンポーネントであって、前記プライマリー・マニホールド・コンポーネントは、前記本体部の前記近位端部から前記本体部の前記遠位端部へ延在しており、プライマリー・チャネルを囲んでいる、プライマリー・マニホールド・コンポーネントと、
少なくとも１つの補助マニホールド・コンポーネントであって、前記少なくとも１つの補助マニホールド・コンポーネントは、前記プライマリー・マニホールド・コンポーネントから分岐しており、プライマリー・チャネル出口ポートにおいて前記プライマリー・チャネルに接続された補助チャネルを囲んでいる、少なくとも１つの補助マニホールド・コンポーネントと、
前記本体部に沿って配設されている少なくとも１つの圧縮弁領域であって、前記少なくとも１つの圧縮弁領域は、開位置と閉位置との間で動作可能であり、前記閉位置になっているときには、流体フローが前記プライマリー・チャネルを通って流れること、および、流体フローが前記プライマリー・チャネルから外へ前記補助チャネルの中へ流れることのうちの少なくとも１つを制限されるようになっている、少なくとも１つの圧縮弁領域と
を含む、流体マニホールド。
【請求項２】
流体マニホールド・アッセンブリであって、前記流体マニホールド・アッセンブリは、
本体部を含む流体マニホールドと、
クランピング・コンポーネントと
を含み、
前記本体部は、
近位端部と、
遠位端部と、
プライマリー・マニホールド・コンポーネントであって、前記プライマリー・マニホールド・コンポーネントは、前記本体部の前記近位端部から前記本体部の前記遠位端部へ延在しており、プライマリー・チャネルを囲んでいる、プライマリー・マニホールド・コンポーネントと、
少なくとも１つの補助マニホールド・コンポーネントであって、前記少なくとも１つの補助マニホールド・コンポーネントは、前記プライマリー・マニホールド・コンポーネントから分岐しており、プライマリー・チャネル出口ポートにおいて前記プライマリー・チャネルに接続された補助チャネルを囲んでいる、少なくとも１つの補助マニホールド・コンポーネントと、
前記本体部に沿って配設されている少なくとも１つの圧縮弁領域であって、前記少なくとも１つの圧縮弁領域は、開位置と閉位置との間で動作可能であり、前記閉位置になっているときには、流体フローが前記プライマリー・チャネルを通って流れること、および、流体フローが前記プライマリー・チャネルから外へ前記補助チャネルの中へ流れることのうちの少なくとも１つを制限されるようになっている、少なくとも１つの圧縮弁領域と
を含み、
前記クランピング・コンポーネントは、前記流体マニホールドの前記少なくとも１つの圧縮弁領域のそれぞれに配設されている、流体マニホールド・アッセンブリ。
【請求項３】
前記圧縮弁領域は、プライマリー圧縮マニホールド弁であり、前記プライマリー圧縮マニホールド弁は、前記プライマリー・マニホールド・コンポーネントに沿って配設されており、前記閉位置になっているときに、流体フローが前記プライマリー・チャネルを通って流れないように制限されるようになっている、請求項１に記載の流体マニホールド。
【請求項４】
前記圧縮弁領域は、前記プライマリー・チャネル出口ポートと前記本体部の前記遠位端部との間に前記プライマリー・マニホールドに沿って配設されている、請求項１および３のいずれか一項に記載の流体マニホールド。
【請求項５】
前記圧縮弁領域は、前記プライマリー・マニホールドに沿って配設されており、前記閉位置になっているときに、前記補助チャネルが前記プライマリー・チャネルと概して同じ境界内にあるようになっている、請求項１に記載の流体マニホールド。
【請求項６】
前記プライマリー・チャネルは、平均直径ＤＰＣを有しており、また、前記本体部の前記近位端部と前記本体部の前記遠位端部との間でその長さに沿って第１の軸線を有しており、前記補助チャネルは、平均直径ＤＡＣを有しており、また、その長さに沿って第２の軸線を有しており、前記圧縮弁領域は、前記プライマリー・マニホールドに沿って配設されており、前記閉位置になっているときに、前記プライマリー・チャネルおよび前記補助チャネルが交差し、エルボ・ベンドを形成するようになっており、前記エルボ・ベンドは、所定の球体によって画定される体積の中に含有されており、前記球体は、ＤＰＣおよびＤＡＣのうちの大きい方に等しい直径を有しており、前記球体は、前記第１の軸線および前記第２の軸線の交差部において中心を合わせられている、請求項１に記載の流体マニホールド。
【請求項７】
前記エルボ・ベンドは、直角を有しており、前記エルボ・ベンドは、鋭角を有しており、前記エルボ・ベンドは、鈍角を有している、請求項６に記載の流体マニホールド。
【請求項８】
前記圧縮弁領域は、プライマリー・チャネル出口ポート弁であり、前記プライマリー・チャネル出口ポート弁は、前記流体マニホールドの前記本体部に沿って配設されており、前記プライマリー・チャネル出口ポート弁が前記閉位置になっているときに、流体フローが前記プライマリー・チャネルから外へ前記補助チャネルの中へ流れないように制限されるようになっている、請求項１に記載の流体マニホールド。
【請求項９】
前記圧縮弁領域は、前記プライマリー・チャネル出口ポートにおいて前記流体マニホールドの前記本体部に沿って配設されている、請求項１および８のいずれか一項に記載の流体マニホールド。
【請求項１０】
前記圧縮弁領域は、前記流体マニホールドの前記本体部に沿って配設されており、前記圧縮弁領域が前記閉位置になっているときに、前記プライマリー・チャネルから外へ前記補助チャネルの中への流体フローを制限する前記弁領域の圧縮された部分が、前記プライマリー・マニホールド・コンポーネントの内部壁部と概して同一平面上になるようになっている、請求項１に記載の流体マニホールド。
【請求項１１】
前記流体マニホールドは、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、またはポリ［フッ化ビニリデン］（ＰＶＤＦ）を含む、請求項１または２に記載の流体マニホールド。
【請求項１２】
前記遠位サポートは、シリコーン、熱可塑性エラストマー（ＴＰＥ）、熱可塑性加硫物（ＴＰＶ）、熱可塑性ポリウレタン（ＴＰＵ）、軟質ポリ塩化ビニル（ｆＰＶＣ）、ポリアルキルシロキサン、ジメチルシロキサン、ジエチルシロキサン、ジプロピルシロキサン、メチルエチルシロキサン、メチルプロピルシロキサン、ポリジアルキルシロキサン、ポリジメチルシロキサン（ＰＤＭＳ）、ポリプロピレン、またはポリ［フッ化ビニリデン］（ＰＶＤＦ）を含む、請求項１または２に記載の流体マニホールド。
【請求項１３】
前記流体マニホールドは、補強シェルによって覆われている、請求項１または２に記載の流体マニホールド。
【請求項１４】
前記アッセンブリは、前記流体マニホールドの前記プライマリー・チャネルにオーバーモールドされたプライマリー・チューブをさらに含む、請求項２に記載の流体マニホールド・アッセンブリ。
【請求項１５】
前記アッセンブリは、前記少なくとも１つの補助チャネルのそれぞれにオーバーモールドされた補助チューブをさらに含む、請求項２に記載の流体マニホールド・アッセンブリ。
【国際調査報告】
2020537097.tif 000022
2020537097.tif 000023
2020537097.tif 000024